(57)【特許請求の範囲】
【請求項１】
建物の開口部を開閉するシャッターカーテンの開閉制御を行う開閉制御システムであって、
前記シャッターカーテンを自重で閉鎖させるように、当該シャッターカーテンの開閉制御を開始するトリガとなるトリガ信号の入力を受け付ける入力手段と、
前記シャッターカーテンと前記開閉制御システムとを備えるシャッター装置の状態を制御するための操作入力を受け付ける操作手段と、
前記操作手段によって受け付けられる操作入力に対応する制御を、前記入力手段によって前記トリガ信号の入力が受け付けられる前には、前記シャッター装置を第１状態にする第１制御とし、前記入力手段によって前記トリガ信号の入力が受け付けられた場合には、前記シャッター装置を第２状態にする第２制御に切り替える切替手段と、を備え、
前記操作手段は、前記シャッターカーテンを電動で閉鎖移動状態にするための電動閉鎖制御の操作入力を受け付ける電動閉鎖操作手段を含み、
前記切替手段は、前記電動閉鎖操作手段によって受け付けられる操作入力に対応する制御を、前記入力手段によって前記トリガ信号の入力が受け付けられる前には、前記電動閉鎖制御とし、前記入力手段によって前記トリガ信号の入力が受け付けられた場合には、前記シャッターカーテンを自重で閉鎖移動状態にするための自重閉鎖制御とする、
開閉制御システム。
【請求項２】
前記操作手段は、前記シャッターカーテンを電動で開放移動状態にするための電動開放制御の操作入力を受け付ける電動開放操作手段を含み、
前記切替手段は、前記電動開放操作手段によって受け付けられる操作入力に対応する制御を、前記入力手段によって前記トリガ信号の入力が受け付けられる前には、前記電動開放制御とし、前記入力手段によって前記トリガ信号の入力が受け付けられた場合には、当該開閉制御システムを当該トリガ信号の入力が受け付けられる前の状態に復旧させるための復旧制御とする、
請求項１に記載の開閉制御システム。
【請求項３】
前記操作手段は、前記シャッターカーテンを電動で開放移動状態にするための電動開放制御の操作入力を受け付ける電動開放操作手段を含み、
前記切替手段は、
前記電動開放操作手段によって受け付けられる操作入力に対応する制御を、
前記入力手段によって前記トリガ信号の入力が受け付けられる前には、前記電動開放制御とし、
前記入力手段によって前記トリガ信号の入力が受け付けられた後、前記トリガ信号の入力が受け付けられていない状態で前記電動開放操作手段の操作入力が受け付けられた場合には、当該開閉制御システムを当該トリガ信号の入力が受け付けられる前の状態に復旧させるための復旧制御とし、
前記入力手段によって前記トリガ信号の入力が受け付けられた後、前記トリガ信号の入力が受け付けられている状態で前記電動開放操作手段の操作入力が受け付けられた場合には、当該操作入力に対応する制御を行わないようにする非制御とする、
請求項１に記載の開閉制御システム。
【請求項４】
前記切替手段は、前記電動開放操作手段によって受け付けられる操作入力に対応する制御として前記復旧制御を行う場合には、当該復旧制御と併せて前記電動開放制御を行う、
請求項２又は３に記載の開閉制御システム。
【請求項５】
前記操作手段は、前記シャッターカーテンの電動による閉鎖移動又は開放移動を停止するための電動停止制御の操作入力を受け付ける電動停止操作手段を含み、
前記切替手段は、前記電動停止操作手段によって受け付けられる操作入力に対応する制御を、前記入力手段によって前記トリガ信号の入力が受け付けられる前には、前記電動停止制御とし、前記入力手段によって前記トリガ信号の入力が受け付けられた場合には、前記開閉制御システムを当該トリガ信号の入力が受け付けられる前の状態に復旧させるための復旧制御とする、
請求項１から４のいずれか一項に記載の開閉制御システム。
【請求項６】
前記操作手段は、前記シャッターカーテンの電動による閉鎖移動又は開放移動を停止するための電動停止制御の操作入力を受け付ける電動停止操作手段を含み、
前記切替手段は、
前記電動停止操作手段によって受け付けられる操作入力に対応する制御を、
前記入力手段によって前記トリガ信号の入力が受け付けられる前には、前記電動停止制御とし、
前記入力手段によって前記トリガ信号の入力が受け付けられた後、前記トリガ信号の入力が受け付けられている状態で前記電動停止操作手段の操作入力が受け付けられている場合のみ、当該開閉制御システムを当該トリガ信号の入力が受け付けられる前の状態に復旧させるための復旧制御とする、
請求項１から４のいずれか一項に記載の開閉制御システム。
【請求項７】
前記操作手段からの信号に基づいて前記シャッター装置の状態を制御する制御手段を備え、
前記操作手段と前記制御手段とを前記切替手段を介して接続した、
請求項１から６のいずれか一項に記載の開閉制御システム。
【発明の詳細な説明】
【技術分野】
【０００１】
本発明は、開閉制御システムに関する。
【背景技術】
【０００２】
従来、建物の開口部に設けられるシャッター装置として、外部装置（例えば防災盤）から火災信号を受信した後に、開閉機のブレーキを解放することによりシャッターカーテンを自重降下させることで、シャッターカーテンによって開口部を全閉した状態にすることができるシャッター装置が提案されている（例えば、特許文献１参照）。このシャッター装置においては、シャッターカーテンが自重降下している途中で座板スイッチによって障害物が検知された場合には、自重降下を一旦停止させ、その後障害物を取り除いてから所定時間経過後に自重降下を再開させる。
【０００３】
また、このシャッター装置には、シャッターカーテンの昇降及び停止に関する操作を行うための手動操作部が設けられており、この手動操作部には上昇スイッチ、降下スイッチ、停止スイッチ、非常作動スイッチ、及び復旧スイッチが設けられている。このうち、上昇スイッチはシャッターカーテンを電動で上昇させるスイッチであり、降下スイッチはシャッターカーテンを電動で降下させるスイッチであり、停止スイッチはシャッターカーテンを電動で停止させるスイッチである。また、非常作動スイッチはシャッターカーテンを自重で降下させるスイッチであり、復旧スイッチはシャッター装置の操作モードが火災信号の受信によって通常の操作モードから火災時の操作モードに切り替えられた状態において、通常の操作モードに復旧させるスイッチである。
【先行技術文献】
【特許文献】
【０００４】
【特許文献１】特開２００８−３１７１４号公報
【発明の概要】
【発明が解決しようとする課題】
【０００５】
ここで、上述したように、シャッターカーテンが自重降下している途中で座板スイッチによって障害物が検知されたことにより自重降下を一旦停止している状態において、火災時の操作モードが上昇スイッチ、降下スイッチ、又は停止スイッチの操作入力を受け付けないように設定されている場合には、障害物が取り除かれたことで停止中のシャッターカーテンを降下させようとして、操作者が非常作動スイッチを操作しなければならないところを誤って降下スイッチを操作すると、当該操作に基づいてシャッターカーテンを降下させることができず、障害物を取り除いてから所定時間経過後するまでシャッターカーテンを降下（自重降下）させることができないため、当該所定時間経過するまでの間に火災の炎や煙が流入するおそれがあった。よって、上記従来のシャッター装置においては、手動操作部によって受け付けられる操作入力に対応する制御を状況に応じて行うことができない可能性があることから、操作者の利便性の観点から改善の余地があった。
【０００６】
本発明は、上記従来技術における課題を解決するためのものであって、操作者の利便性を向上させることが可能になる、開閉制御システムを提供することを目的とする。
【課題を解決するための手段】
【０００７】
上述した課題を解決し、目的を達成するために、請求項１に記載の開閉制御システムは、建物の開口部を開閉するシャッターカーテンの開閉制御を行う開閉制御システムであって、前記シャッターカーテンを自重で閉鎖させるように、当該シャッターカーテンの開閉制御を開始するトリガとなるトリガ信号の入力を受け付ける入力手段と、前記シャッターカーテンと前記開閉制御システムとを備えるシャッター装置の状態を制御するための操作入力を受け付ける操作手段と、前記操作手段によって受け付けられる操作入力に対応する制御を、前記入力手段によって前記トリガ信号の入力が受け付けられる前には、前記シャッター装置を第１状態にする第１制御とし、前記入力手段によって前記トリガ信号の入力が受け付けられた場合には、前記シャッター装置を第２状態にする第２制御に切り替える切替手段と、を備え、前記操作手段は、前記シャッターカーテンを電動で閉鎖移動状態にするための電動閉鎖制御の操作入力を受け付ける電動閉鎖操作手段を含み、前記切替手段は、前記電動閉鎖操作手段によって受け付けられる操作入力に対応する制御を、前記入力手段によって前記トリガ信号の入力が受け付けられる前には、前記電動閉鎖制御とし、前記入力手段によって前記トリガ信号の入力が受け付けられた場合には、前記シャッターカーテンを自重で閉鎖移動状態にするための自重閉鎖制御とする。
【０００８】
請求項２に記載の開閉制御システムは、請求項１に記載の開閉制御システムにおいて、前記操作手段は、前記シャッターカーテンを電動で開放移動状態にするための電動開放制御の操作入力を受け付ける電動開放操作手段を含み、前記切替手段は、前記電動開放操作手段によって受け付けられる操作入力に対応する制御を、前記入力手段によって前記トリガ信号の入力が受け付けられる前には、前記電動開放制御とし、前記入力手段によって前記トリガ信号の入力が受け付けられた場合には、当該開閉制御システムを当該トリガ信号の入力が受け付けられる前の状態に復旧させるための復旧制御とする。
【０００９】
請求項３に記載の開閉制御システムは、請求項１に記載の開閉制御システムにおいて、前記操作手段は、前記シャッターカーテンを電動で開放移動状態にするための電動開放制御の操作入力を受け付ける電動開放操作手段を含み、前記切替手段は、前記電動開放操作手段によって受け付けられる操作入力に対応する制御を、前記入力手段によって前記トリガ信号の入力が受け付けられる前には、前記電動開放制御とし、前記入力手段によって前記トリガ信号の入力が受け付けられた後、前記トリガ信号の入力が受け付けられていない状態で前記電動開放操作手段の操作入力が受け付けられた場合には、当該開閉制御システムを当該トリガ信号の入力が受け付けられる前の状態に復旧させるための復旧制御とし、前記入力手段によって前記トリガ信号の入力が受け付けられた後、前記トリガ信号の入力が受け付けられている状態で前記電動開放操作手段の操作入力が受け付けられた場合には、当該操作入力に対応する制御を行わないようにする非制御とする。
【００１０】
請求項４に記載の開閉制御システムは、請求項２又は３に記載の開閉制御システムにおいて、前記切替手段は、前記電動開放操作手段によって受け付けられる操作入力に対応する制御として前記復旧制御を行う場合には、当該復旧制御と併せて前記電動開放制御を行う。
【００１１】
請求項５に記載の開閉制御システムは、請求項１から４のいずれか一項に記載の開閉制御システムにおいて、前記操作手段は、前記シャッターカーテンの電動による閉鎖移動又は開放移動を停止するための電動停止制御の操作入力を受け付ける電動停止操作手段を含み、前記切替手段は、前記電動停止操作手段によって受け付けられる操作入力に対応する制御を、前記入力手段によって前記トリガ信号の入力が受け付けられる前には、前記電動停止制御とし、前記入力手段によって前記トリガ信号の入力が受け付けられた場合には、前記開閉制御システムを当該トリガ信号の入力が受け付けられる前の状態に復旧させるための復旧制御とする。
【００１２】
請求項６に記載の開閉制御システムは、請求項１から４のいずれか一項に記載の開閉制御システムにおいて、前記操作手段は、前記シャッターカーテンの電動による閉鎖移動又は開放移動を停止するための電動停止制御の操作入力を受け付ける電動停止操作手段を含み、前記切替手段は、前記電動停止操作手段によって受け付けられる操作入力に対応する制御を、前記入力手段によって前記トリガ信号の入力が受け付けられる前には、前記電動停止制御とし、前記入力手段によって前記トリガ信号の入力が受け付けられた後、前記トリガ信号の入力が受け付けられている状態で前記電動停止操作手段の操作入力が受け付けられている場合のみ、当該開閉制御システムを当該トリガ信号の入力が受け付けられる前の状態に復旧させるための復旧制御とする。
【００１３】
請求項７に記載の開閉制御システムは、請求項１から６のいずれか一項に記載の開閉制御システムにおいて、前記操作手段からの信号に基づいて前記シャッター装置の状態を制御する制御手段を備え、前記操作手段と前記制御手段とを前記切替手段を介して接続した。
【発明の効果】
【００１５】
請求項１に記載の開閉制御システムによれば、操作手段によって受け付けられる操作入力に対応する制御を、入力手段によってトリガ信号の入力が受け付けられる前には、シャッター装置を第１状態にする第１制御とし、入力手段によってトリガ信号の入力が受け付けられた場合には、シャッター装置を第２状態にする第２制御に切り替える切替手段を備えているので、トリガ信号の入力が受け付けられた後に操作手段に対応する制御を第１制御から第２制御に切り替えることにより、操作者が操作手段を誤って操作した場合に当該入力が受け付けられた後の状況に応じた第２制御を行うことができ、操作者の利便性を向上させることができる。
また、切替手段は、電動閉鎖操作手段によって受け付けられる操作入力に対応する制御を、入力手段によってトリガ信号の入力が受け付けられる前には、電動閉鎖制御とし、入力手段によってトリガ信号の入力が受け付けられた場合には、自重閉鎖制御とするので、トリガ信号の入力が受け付けられた場合に電動閉鎖操作手段によって受け付けられる操作入力に対応する制御を電動閉鎖制御から自重閉鎖制御に切り替えることができるので、例えば、火災時において、シャッターカーテンの状態が後述する半開状態である場合に、操作者が誤って電動閉鎖操作手段を操作した場合には、自重閉鎖制御を行うことができ、シャッターカーテンの状態を確実に後述する全閉状態にすることが可能となる。
【００１７】
請求項２に記載の開閉制御システムによれば、切替手段は、電動開放操作手段によって受け付けられる操作入力に対応する制御を、入力手段によってトリガ信号の入力が受け付けられる前には、電動開放制御とし、入力手段によってトリガ信号の入力が受け付けられた場合には、復旧制御とするので、トリガ信号の入力が受け付けられた場合に電動開放操作手段によって受け付けられる操作入力に対応する制御を電動開放制御から復旧制御に切り替えることができる。よって、例えば、火災が消火された後にシャッターカーテンの状態が後述する全閉状態である場合において、操作者が誤って電動開放操作手段を操作した場合には、復旧制御を行うことができ、シャッターカーテンの状態を確実に後述する全開状態にすることが可能となる。
【００１８】
請求項３に記載の開閉制御システムによれば、切替手段は、電動開放操作手段によって受け付けられる操作入力に対応する制御を、入力手段によってトリガ信号の入力が受け付けられる前には、電動開放制御とし、入力手段によってトリガ信号の入力が受け付けられた後、トリガ信号の入力が受け付けられていない状態で電動開放操作手段の操作入力が受け付けられた場合には、復旧制御とし、入力手段によってトリガ信号の入力が受け付けられた後、トリガ信号の入力が受け付けられている状態で電動開放操作手段の操作入力が受け付けられた場合には、非制御とするので、トリガ信号の入力が受け付けられていない状態で電動開放操作手段の操作入力が受け付けられた場合には、電動開放操作手段によって受け付けられる操作入力に対応する制御を電動開放制御から復旧制御に切り替えることができる。よって、例えば、火災が消火された後にシャッターカーテンの状態が後述する全閉状態である場合において、操作者が誤って電動開放操作手段を操作した場合には、復旧制御を行うことができ、シャッターカーテンの状態を確実に後述する全開状態にすることが可能となる。また、トリガ信号の入力が受け付けられている状態で電動開放操作手段の操作入力が受け付けられた場合には、電動開放操作手段によって受け付けられる操作入力に対応する制御を電動開放制御から非制御に切り替えることができる。よって、例えば、火災が継続している場合に、操作者が誤って電動開放操作手段を操作した場合には、非制御にすることができ、復旧制御を行うことを防止できるため、シャッターカーテンの電動による開放移動によって火災の炎や煙が流入することを防止することが可能となる。
【００１９】
請求項４に記載の開閉制御システムによれば、切替手段は、電動開放操作手段によって受け付けられる操作入力に対応する制御として復旧制御を行う場合には、当該復旧制御と併せて電動開放制御を行うので、操作者が電動開放操作手段を１回操作するだけで復旧制御及び電動開放制御を行うことができ、電動開放操作手段の操作性を向上させることが可能となる。
【００２０】
請求項５に記載の開閉制御システムによれば、切替手段は、電動停止操作手段によって受け付けられる操作入力に対応する制御を、入力手段によってトリガ信号の入力が受け付けられる前には、電動停止制御とし、入力手段によってトリガ信号の入力が受け付けられた場合には、復旧制御とするので、トリガ信号の入力が受け付けられた場合に電動停止操作手段によって受け付けられる操作入力に対応する制御を電動停止制御から復旧制御に切り替えることができるので、例えば、火災時においてシャッターカーテンが自重で閉鎖移動している場合において、操作者が誤って電動停止操作手段を操作した場合には、復旧制御を行うことができ、シャッターカーテンを確実に停止させることが可能となる。
【００２１】
請求項６に記載の開閉制御システムによれば、切替手段は、入力手段によってトリガ信号の入力が受け付けられる前には、電動停止操作手段によって受け付けられる操作入力に対応する制御を電動停止制御とし、入力手段によってトリガ信号の入力が受け付けられた後、トリガ信号の入力が受け付けられている状態で電動停止操作手段の操作入力が受け付けられている場合のみ、電動停止操作手段によって受け付けられる操作入力に対応する制御を電動停止制御から復旧制御に切り替えることができるので、例えば、電動停止操作手段から復旧信号の入力が受け付けられた後において、トリガ信号の入力が継続して受け付けられている状態で電動停止操作手段の操作入力が受け付けられていない場合には、シャッターカーテンを自重で閉鎖移動させることができる。また、トリガ信号の入力の入力が継続して受け付けられている状態で電動停止操作手段の操作入力が受け付けられている場合には、シャッターカーテンの自重による閉鎖移動を停止させることができ、その後電動停止操作手段の操作入力が受け付けられなくなった場合には、シャッターカーテンの自重による閉鎖移動を再開させることができる。以上のように、ユーザが電動停止操作手段を操作している間においてシャッターカーテンの自重による閉鎖移動を停止させることにより、火災時において建物にいる人が避難するための空間を確保することができ、建物にいる人の安全性を確保できる。また、ユーザが電動停止操作手段を操作していない間においてシャッターカーテンを自重で閉鎖移動させることにより、ユーザが操作手段を操作することなくシャッターカーテンの状態を全閉状態にすることができ、煙や炎が流入することを抑制できる。したがって、人の安全性とシャッター装置の防火性とを両立した制御を行うことが可能となる。
【００２２】
請求項７に記載の開閉制御システムによれば、操作手段からの信号に基づいてシャッター装置の状態を制御する制御手段を備え、操作手段と制御手段とを切替手段を介して接続したので、例えば、既存のシャッター装置に対して、当該シャッター装置の制御手段と当該シャッター装置の操作手段とを切替手段を介して接続することで、当該開閉制御システムを構築でき、当該開閉制御システムの製造コストを低減することが可能となる。
【図面の簡単な説明】
【００２３】
【図１】本発明の実施の形態１に係るシャッター装置を概念的に示す図である。
【図２】手動閉鎖装置及び切替部の接続状況を示す概略図である。
【図３】連動中継器の電気的構成を示したブロック図である。
【図４】開閉処理のフローチャートである。
【図５】自重閉鎖処理のフローチャートである。
【図６】実施の形態２に係るシャッター装置を概念的に示す図である。
【図７】開閉処理のフローチャートである。
【図８】図７に続く開閉処理のフローチャートである。
【図９】実施の形態３に係る連動中継器の電気的構成を示したブロック図である。
【発明を実施するための形態】
【００２４】
以下に添付図面を参照して、この発明に係る開閉制御システムの実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２５】
〔I〕実施の形態の基本的概念
まず、実施の形態の基本的概念について説明する。実施の形態は、概略的に、建物の開口部の開閉を行うためのシャッターカーテンの開閉制御を行う開閉制御システムに関するものである。
【００２６】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁等）において窓や入り口を設置するために形成された開口部である。また、シャッターカーテン及び開閉制御システムを備えるシャッター装置は、防犯や防火のために、建物の開口部に取り付けられる装置であり、例えば、重量シャッター等の自重で閉鎖移動することが可能な全ての形式のシャッターを含む概念である。また、シャッター装置の開閉方向については、例えば上下方向等が該当する。また、シャッター装置の駆動方式は任意であり、例えば、「電動式のシャッター」が該当する。また、「シャッター装置の状態」とは、例えば、シャッターカーテンを電動で閉鎖移動状態とした「電動閉鎖状態」、シャッターカーテンを電動で開放移動状態とした「電動開放状態」、シャッターカーテンの電動による閉鎖移動又は開放移動を停止させた状態とした「電動停止状態」、シャッターカーテンを自重で閉鎖移動状態とした「自重閉鎖状態」、及び、開閉制御システムを後述するトリガ信号の入力が受け付けられる前の状態に復旧させた状態とした「復旧状態」を含む概念である。また、「閉鎖移動状態」とは、開口部の閉鎖方向（実施形態では下方向）に向けてシャッターカーテンが閉鎖移動している状態を意味し、「開放移動状態」とは、開口部の開放方向（実施形態では上方向）に向けてシャッターカーテンが開放移動している状態を意味する。以下、実施の形態では、シャッター装置が、商業施設の如き建物内の所定の部屋における通路側の壁に設けられた上下開閉式且つ電動式の重量シャッターである場合について説明する。
【００２７】
〔II〕実施の形態の具体的内容
次に、実施の形態の具体的内容について説明する。
【００２８】
〔実施の形態１〕
まず、実施の形態１に係る開閉制御システムについて説明する。この実施の形態１は、後述する防災信号又は後述する自重閉鎖信号の入力が受け付けられた場合に、シャッターカーテンの下端部が床面に到達するまでシャッターカーテンを自重で閉鎖移動させる形態である。
【００２９】
（構成）
最初に、実施の形態１に係る開閉制御システムが適用されるシャッター装置の構成について説明する。以下の説明では、図１のＸ方向をシャッター装置の左右方向又は幅方向（−Ｘ方向をシャッター装置の左方向、＋Ｘ方向をシャッター装置の右方向）、図１のＹ方向をシャッター装置の上下方向（＋Ｙ方向をシャッター装置の上方向、−Ｙ方向をシャッター装置の下方向）、Ｘ方向及びＹ方向に直交する方向を前後方向（図１の紙面の手前側に至る方向をシャッター装置の前方向（部屋の室外側の方向）、図１の紙面の奥側に至る方向をシャッター装置の後方向（部屋の室内側の方向））と称する。
【００３０】
図１に示すように、このシャッター装置１は、概略的に、シャッター収納部１０、ガイドレール２０、シャッターカーテン３０、開閉機４０、巻取り軸（図示省略）、火災報知システム５０、及び開閉制御システム６０を備えて構成されている。ただし、シャッター装置１に関する特記しない構成については、従来と同様であるものとして説明を省略する。
【００３１】
（構成−シャッター収納部）
シャッター収納部１０は、シャッター装置１の各部を収納するための中空体である。図１に示すように、このシャッター収納部１０は、部屋の壁における開口部２の上端部よりも上方に設置されており、具体的には、部屋の天井３よりも上方に設置されている。また、このシャッター収納部１０の内部には、開閉機４０、巻取り軸、並びに、開閉制御システム６０の後述する自動閉鎖装置７０、後述する連動中継器１４０、後述する下限検知部１００、後述する上限検知部９０、及び後述するコードリール１２０が収容されていると共に、巻取り軸にてシャッターカーテン３０が巻上げられた状態では、シャッターカーテン３０の少なくとも一部も、シャッター収納部１０の内部に収容される。なお、このシャッター収納部１０の下方側に位置する天井３において、シャッターカーテン３０を中心とする部屋の室外側及び室内側には、まぐさ（図示省略）が固定されている。これらまぐさの相互間には、開口部２の左右方向全長にわたるまぐさ開口（図示省略）が形成されており、このまぐさ開口を介してシャッターカーテン３０の出し入れが行われる。
【００３２】
（構成−ガイドレール）
ガイドレール２０は、シャッターカーテン３０を開口部２の開閉方向（上下方向）に沿って移動するように案内するものである。このガイドレール２０は、横断面形状が略コ字状となるように形成された長尺体であり、シャッター装置１の左右の各端部において、上下方向に略沿う方向で配置されており、部屋の壁に対して直接的に固定されており、又は下地材（図示省略）を介して間接的に固定されている。
【００３３】
（構成−シャッターカーテン）
シャッターカーテン３０は、巻取り軸によって閉鎖移動又は開放移動されることで、シャッターカーテン３０の状態を開口部２を全開した状態（以下、「全開状態」と称する）、開口部２を全閉した状態（以下、「全閉状態」と称する）、あるいは、開口部２の一部を開いて、当該開口部２の他の一部を閉じている状態（以下、「半開状態」と称する）とする遮蔽手段である（なお、実施の形態１においては、「半開状態」では、シャッターカーテン３０は停止した状態であるとして説明する）。このシャッターカーテン３０は、複数のスラット３１を備えて構成されており、各スラット３１の上下の両端部に形成された嵌合部（図示省略）を介して複数のスラット３１が相互に嵌合接続されている。また、このシャッターカーテン３０の左右方向の両端部の各々は、ガイドレール２０のコ字状の開放端部を介してガイドレール２０の内部に挿入されており、上下方向においてはガイドレール２０の内部をスライド移動可能であり、かつ、前後方向においてはガイドレール２０の外部に脱落しないように規制されている。また、このシャッターカーテン３０の下端部には、座板３２が接続されている。この座板３２は、シャッターカーテン３０の状態が全閉状態である場合において部屋の床面と近接し、又は接触するように配置されたものであり、シャッターカーテン３０の下端部の左右方向全長にわたって形成されている。
【００３４】
（構成−開閉機）
開閉機４０は、巻取り軸の回転を制御することによってシャッターカーテン３０を閉鎖移動又は開放移動させる開閉移動手段であり、出力軸、減速部、調速部、ブレーキ、及び駆動部を備えて構成されている（いずれも図示省略）。なお、この開閉機４０は、例えば公知の開閉機等によって構成することができるので、その詳細な説明は省略する。
【００３５】
出力軸は、駆動部から伝達された回転力を巻取り軸に伝達するためのものであり、出力軸の一部が外部に向けて突出するように設置されており、当該突出した部分に取り付けられたチェーン（図示省略）を介して巻取り軸に連結されている。減速部は、駆動部の回転速度を減速させて、出力軸に回転力を伝達させるためのものである。調速部は、出力軸を介して出力軸の回転速度を調整するためのものである。ブレーキは、出力軸への作用によりシャッターカーテン３０の自重による閉鎖移動（自重降下）を停止するためのものである。このブレーキには、ブレーキによるシャッターカーテン３０の自重による閉鎖移動の停止状態を解放するための解放操作部（図示省略）が外部に露出するように取り付けられている。また、駆動部は、出力軸を電動で回転させるための駆動手段である。このような構成により、駆動部を電動駆動させることにより回転力が出力軸に入力されると、当該入力された回転力が出力軸を介して巻取り軸に伝達されるので、シャッターカーテン３０を電動で閉鎖移動又は開放移動させることができる。また、火災発生時等に開閉制御システム６０の後述する自動閉鎖装置７０が作動することにより、解放操作部が後述する自動閉鎖装置７０によって解放操作されると（例えば、解放操作部が自動閉鎖装置７０によって引かれて解放される等）、ブレーキによるシャッターカーテン３０の自重による閉鎖移動の停止状態が解放されて、シャッターカーテン３０を自重で閉鎖移動させることができる。この場合において、調速部によって出力軸の回転速度が低速になるように調速されるため、シャッターカーテン３０の自重による閉鎖移動の速度が低減される。
【００３６】
（構成−巻取り軸）
巻取り軸は、シャッターカーテン３０を閉鎖移動又は開放移動させるための回動軸であり、例えば公知の巻取り軸等を用いて構成されている。この巻取り軸は、左右方向に沿って設置されており、具体的には、巻取り軸の左端部近傍部分がシャッター収納部１０の左面に対して固定具によって回転可能に固定されていると共に、この巻取り軸の右端部近傍部分がシャッター収納部１０の右面に対して固定具によって回転可能に固定されている。また、この巻取り軸にはシャッターカーテン３０の上端に連結された連結スラット（図示省略）が接続されており、この巻取り軸を回転させることで、連結スラットを介してシャッターカーテン３０を閉鎖移動又は開放移動させることができる。また、この巻取り軸の左端部がチェーンを介して開閉機４０の出力軸に連結されているので、開閉機４０の出力軸の回転に伴って巻取り軸を回転させることができる。
【００３７】
（構成−火災報知システム）
次に、開閉制御システム６０と連動させる火災報知システム５０の構成について説明する。ただし、火災報知システム５０は従来と同様に構成することが可能であり、特記しない構成及び処理については従来と同様であるものとする。この火災報知システム５０は、建物に設定された監視領域における火災発生を感知して報知するシステムであり、火災感知器５１（例えば、熱感知器、煙感知器等）と、防災盤５２を備えて構成されている。火災感知器５１は、監視領域における火災発生を感知した場合に、防災盤５２に感知信号（例えば、熱感知信号、煙感知信号等）を出力する。防災盤５２は、火災感知器５１から感知信号を受信した場合に、警報音の出力や火災表示灯の点灯を行うと共に、防災信号を開閉制御システム６０の後述する連動中継器１４０に出力する。ここで、「防災信号」とは、後述する連動中継器１４０に対して、建物で火災が発生した場合に、シャッターカーテン３０を自重で閉鎖させるように、シャッターカーテン３０の開閉制御を開始するトリガとなる信号（トリガ信号）であり、実施の形態１では、火災感知器５１によって所定量以上の煙が検知された旨を示す煙信号や、火災感知器５１によって所定温度以上の熱が検知された旨を示す熱信号等を含む概念である。
【００３８】
（構成−開閉制御システム）
次に、開閉制御システム６０の構成について説明する。図１に示すように、開閉制御システム６０は、自動閉鎖装置７０、手動閉鎖装置８０、上限検知部９０、下限検知部１００、座板スイッチ１１０、コードリール１２０、切替部１３０、及び連動中継器１４０を備えて構成されている。
【００３９】
（構成−開閉制御システム−自動閉鎖装置）
自動閉鎖装置７０は、開閉機４０のブレーキを解放させることにより、シャッターカーテン３０を自重閉鎖させるブレーキ解放手段であり、例えば公知の自動閉鎖装置等を用いて構成されている。ここで、「開閉機４０のブレーキを解放させる」とは、開閉機４０のブレーキを開閉機４０の出力軸に作用させないことを意味する。この自動閉鎖装置７０は、具体的には、連動中継器１４０の後述する出力部１４２から配線４を介して受信した制御信号に基づいて、開閉機４０の解放操作部を解放操作することにより開閉機４０のブレーキを解放させることで、シャッターカーテン３０を自重で閉鎖移動させたり、あるいは、開閉機４０の解放操作部を解放操作される前の状態に戻すことにより開閉機４０のブレーキを作用させることで、シャッターカーテン３０の自重による閉鎖移動を停止させる。
【００４０】
（構成−開閉制御システム−手動閉鎖装置）
手動閉鎖装置８０は、シャッター装置１の状態を制御するための操作入力を受け付ける操作手段である。この手動閉鎖装置８０は、例えば公知の手動閉鎖装置等を用いて構成されており、図１に示すように、電動開放ボタン８１、電動閉鎖ボタン８２、電動停止ボタン８３、非常作動ボタン８４、及び復旧ボタン８５を備えている。ここで、電動開放ボタン８１は、シャッターカーテン３０を電動で開放移動状態にするための制御（以下、「電動開放制御」と称する）の操作入力を受け付ける電動開放操作手段であり、電動開放ボタン８１が操作された場合には、電動開放制御の操作入力が受け付けられた旨を示す電動開放信号を出力する。電動閉鎖ボタン８２は、シャッターカーテン３０を電動で閉鎖移動状態にするための制御（以下、「電動閉鎖制御」と称する）の操作入力を受け付ける電動閉鎖操作手段であり、電動閉鎖ボタン８２が操作された場合には、電動閉鎖制御の操作入力が受け付けられた旨を示す電動閉鎖信号を出力する。電動停止ボタン８３は、シャッターカーテン３０の電動による閉鎖移動又は開放移動を停止するための制御（以下、「電動停止制御」と称する）の操作入力を受け付ける電動停止操作手段であり、電動停止ボタン８３が操作された場合には、電動停止制御の操作入力が受け付けられた旨を示す電動停止信号を出力する。非常作動ボタン８４は、シャッターカーテン３０を自重で閉鎖移動状態にするための制御（以下、「自重閉鎖制御」と称する）の操作入力を受け付ける自重閉鎖操作手段であり、非常作動ボタン８４が操作された場合には、自重閉鎖制御の操作入力が受け付けられた旨を示す自重閉鎖信号を出力する。また、復旧ボタン８５は、後述する連動中継器１４０の入力部１４１によって防災信号又は自重閉鎖信号の入力が受け付けられた後に、開閉制御システム６０を防災信号の入力が受け付けられる前の状態に復旧させるための制御（以下、「復旧制御」と称する）の操作入力を受け付ける復旧操作手段であり、復旧ボタン８５が操作された場合には、復旧制御の操作入力が受け付けられた旨を示す復旧信号を出力する。また、この手動閉鎖装置８０の設置位置については、人が手動閉鎖装置８０を容易に操作できる位置である限り任意に決定することができ、例えば、人が部屋の床面に立った状態で手動閉鎖装置８０に手が届く位置（具体的には、部屋の壁のうち、部屋の床面から所定距離（例えば１ｍ等）上方に向けて離れた位置等）に設置されている。
【００４１】
（構成−開閉制御システム−上限検知部、下限検知部）
上限検知部９０は、シャッターカーテン３０の下端部が部屋の天井３面と面一となる位置（以下、「上限位置」と称する。）に達しているか否かを検出する上限検知手段である。また、下限検知部１００は、シャッターカーテン３０の下端部が、部屋の床面近傍に設定された位置（例えば、床面から所定距離（数ｃｍ）だけ上方側に設定された位置等。以下、「下限位置」と称する。）に達しているか否かを検出する下限検知手段である。これら上限検知部９０及び下限検知部１００は、例えばカウンター式のリミットスイッチ等の公知の検知センサを用いて構成されており、開閉機４０の近傍位置にそれぞれ設置されている。また、これら上限検知部９０及び下限検知部１００が開閉機４０の出力軸の回転数を検出するカウンター式のリミットスイッチである場合の検知動作を行う方法については、例えば、上限検知部９０においては、開閉機４０の出力軸の回転数が、シャッターカーテン３０の下端部が開口部２の下端部から上限位置に到達するまでに必要な必要回転数に達していない場合には、上限検知信号を出力しないが、開閉機４０の出力軸の回転数が上記必要回転数に達している場合には、上限検知信号を出力する。また、下限検知部１００においては、開閉機４０の出力軸の回転数が、シャッターカーテン３０の下端部が開口部２の上端部から下限位置に到達するまでに必要な必要回転数に達していない場合には、下限検知信号を出力しないが、開閉機４０の出力軸の回転数が上記必要回転数に達している場合には、下限検知信号を出力する。
【００４２】
（構成−開閉制御システム−座板スイッチ）
座板スイッチ１１０は、シャッターカーテン３０の閉鎖移動時において、シャッターカーテン３０の下端部が、障害物に接触したことを検知する障害物センサである。この座板スイッチ１１０は、例えば公知の座板スイッチ等を用いて構成されており、座板３２に取り付けられている。ここで、この座板スイッチ１１０の検知動作については、例えば、シャッターカーテン３０の開閉移動時にシャッターカーテン３０の下端部が障害物に接触して当該シャッターカーテン３０に対して相対的に上方に持ち上げられた場合に、その持ち上げられた変位がマイクロスイッチ等によって検知されることにより、障害物が検知された旨を示す障害物検知信号を出力する。なお、座板スイッチ１１０の具体的な構成について任意であるが、例えば、座板スイッチ１１０に代えて、障害物を検知するための任意の検知手段を用いることができ、具体的には、超音波センサ、静電容量センサや光学センサによって、シャッターカーテン３０の下端部よりも下方に障害物が存在することを検知してもよい。
【００４３】
（構成−開閉制御システム−コードリール）
コードリール１２０は、シャッターカーテン３０の昇降に伴って座板スイッチ１１０が上下動しても、座板スイッチ１１０と連動中継器１４０とを有線通信可能に接続する配線４の巻出し長さが常に適切な長さに維持されるように、配線４の巻上げ又は巻出しを行うものであり、例えば公知のコードリール等を用いて構成されている。
【００４４】
（構成−開閉制御システム−切替部）
切替部１３０は、手動閉鎖装置８０によって受け付けられる操作入力に対応する制御を、後述する連動中継器１４０の入力部１４１によって防災信号又は自重閉鎖信号の入力が受け付けられる前には、シャッター装置１を第１状態にする第１制御とし、後述する連動中継器１４０の入力部１４１によって防災信号又は自重閉鎖信号の入力が受け付けられた場合には、シャッター装置１を第２状態にする第２制御に切り替える切替手段である。この切替部１３０は、例えば公知のリレー回路等を用いて構成されており、連動中継器１４０の近傍に設けられており、手動閉鎖装置８０及び連動中継器１４０の各々と相互に接続されている。
【００４５】
ここで、切替部１３０、手動閉鎖装置８０、及び連動中継器１４０の接続方法については任意であるが、実施の形態１においては、まず、後述する連動中継器１４０の入力部１４１が手動閉鎖装置８０から出力された各種の信号を切替部１３０を介して入力できるように接続されている。具体的には、図２に示すように、電動開放信号を出力するための配線４ａ（以下、「電動開放配線４ａ」と称する）を介して、電動開放ボタン８１、切替部１３０、及び後述する入力部１４１が接続されている。また、電動閉鎖信号を出力するための配線４ｂ（以下、「電動閉鎖配線４ｂ」と称する）を介して電動閉鎖ボタン８２、切替部１３０、及び後述する入力部１４１が接続されている。また、電動停止信号を出力するための配線４ｃ（以下、「電動停止配線４ｃ」と称する）を介して電動停止ボタン８３、切替部１３０、及び後述する入力部１４１が接続されている。また、自重閉鎖信号を出力するための配線４ｄ（以下、「第１自重閉鎖配線４ｄ」と称する）を介して非常作動ボタン８４、切替部１３０、及び後述する入力部１４１が接続されている。また、復旧信号を出力するための配線４ｅ（以下、「第１復旧配線４ｅ」と称する）を介して復旧ボタン８５、切替部１３０、及び後述する入力部１４１が接続されている。また、電動開放信号、電動閉鎖信号、電動停止信号、自重閉鎖信号、又は復旧信号を出力させるために用いられる配線４ｆ（以下、「共通配線４ｆ」と称する）を介して電動開放ボタン８１、電動閉鎖ボタン８２、電動停止ボタン８３、非常作動ボタン８４、及び復旧ボタン８５、切替部１３０、並びに後述する入力部１４１が接続されている。
【００４６】
また、電動開放ボタン８１によって受け付けられる操作入力に対応する制御を電動開放制御から復旧制御に切り替えることができる。具体的には、図２に示すように、電動開放配線４ａと接続された配線であって復旧信号を出力するための配線４ｇ（以下、「第２復旧配線４ｇ」と称する）を介して切替部１３０及び後述する入力部１４１が接続されている。この場合において、電動開放信号の出力と復旧信号の出力との切り替えが行えるように、図２に示すように、切替部１３０には電動開放ボタン側リレー１３１が設けられており、この電動開放側リレー１３１は、電動開放配線４ａの接続切替のための電動開放スイッチ１３１ａと、第２復旧配線４ｇの接続切替のための復旧スイッチ１３１ｂとを備えている（なお、これら電動開放スイッチ１３１ａ及び復旧スイッチ１３１ｂは、相互に連動して動作する）。これにより、例えば、電動開放スイッチ１３１ａによって電動開放配線４ａが接続されているものの、復旧スイッチ１３１ｂによって第２復旧配線４ｇが接続されていない場合には、電動開放ボタン８１が操作されると、電動開放ボタン８１から出力される信号を電動開放信号として後述する入力部１４１に入力することできる（すなわち、電動開放ボタン８１によって受け付けられる操作入力に対応する制御は、電動開放制御となる）。また、電動開放ボタン側リレー１３１が切り替え制御されていることで、復旧スイッチ１３１ｂによって第２復旧配線４ｇが接続されているものの、電動開放スイッチ１３１ａによって電動開放配線４ａが接続されていない状態に切り替えられた場合には、電動開放ボタン８１が操作されると、電動開放ボタン８１から出力される信号を復旧信号として後述する入力部１４１に入力することできる（すなわち、電動開放ボタン８１によって受け付けられる操作入力に対応する制御は、復旧制御となる）。
【００４７】
また、電動閉鎖ボタン８２によって受け付けられる操作入力に対応する制御を電動閉鎖制御から自重閉鎖制御に切り替えることができる。具体的には、図２に示すように、電動閉鎖配線４ｂと接続された配線であって自重閉鎖信号を出力するための配線４ｈ（以下、「第２自重閉鎖配線４ｈ」と称する）を介して切替部１３０及び後述する入力部１４１が接続されている。この場合において、電動閉鎖信号の出力と自重閉鎖信号の出力との切り替えが行えるように、図２に示すように、切替部１３０には電動閉鎖ボタン側リレー１３２が設けられており、この電動閉鎖ボタン側リレー１３２は、電動閉鎖配線４ｂの接続切替のための電動閉鎖スイッチ１３２ａと、第２自重閉鎖配線４ｈの接続切替のための自重閉鎖スイッチ１３２ｂとを備えている（なお、これら電動閉鎖スイッチ１３２ａ及び復旧スイッチ１３１ｂは、相互に連動して動作する）。これにより、例えば、電動閉鎖スイッチ１３２ａによって電動閉鎖配線４ｂが接続されているものの、自重閉鎖スイッチ１３２ｂによって第２自重閉鎖配線４ｈが接続されていない場合には、電動閉鎖ボタン８２が操作されると、電動閉鎖ボタン８２から出力される信号を電動閉鎖信号として後述する入力部１４１に入力することできる（すなわち、電動閉鎖ボタン８２によって受け付けられる操作入力に対応する制御は、電動閉鎖制御となる）。また、電動閉鎖ボタン側リレー１３２が切り替え制御されていることで、自重閉鎖スイッチ１３２ｂによって第２自重閉鎖配線４ｈが接続されているものの、電動閉鎖スイッチ１３２ａによって電動閉鎖配線４ｂが接続されていない状態に切り替えられた場合には、電動閉鎖ボタン８２が操作されると、電動閉鎖ボタン８２から出力される信号を自重閉鎖信号として後述する入力部１４１に入力することできる（すなわち、電動閉鎖ボタン８２によって受け付けられる操作入力に対応する制御は、自重閉鎖制御となる）。
【００４８】
（構成−開閉制御システム−連動中継器）
図１に戻り、連動中継器１４０は、シャッター装置１の各部を相互に連動させるものである。この連動中継器１４０は、開閉機４０、自動閉鎖装置７０、手動閉鎖装置８０、上限検知部９０、下限検知部１００、座板スイッチ１１０、切替部１３０、及び火災報知システム５０の防災盤５２と配線４を介して電気的に接続されており、図３に示すように、入力部１４１、出力部１４２、電源部１４３、制御部１４４、及び記憶部１４５を備えている。
【００４９】
入力部１４１は、防災信号及び自重閉鎖信号の入力を受け付ける入力手段であり、例えば公知の入力端子等を用いて構成されている。また、この入力部１４１は、防災信号及び自重閉鎖信号に加えて、他の信号の入力を受け付けることができるように、手動閉鎖装置８０、防災盤５２、座板スイッチ１１０、切替部１３０、及び防災盤５２の各々と配線４を介して接続されている。
【００５０】
出力部１４２は、信号を自動閉鎖装置７０又は開閉機４０の駆動部に出力する出力手段であり、例えば公知の出力端子等を用いて構成されており、配線４を介して自動閉鎖装置７０又は開閉機４０の駆動部と接続されている。
【００５１】
電源部１４３は、図示しない商用電源又は電池（例えば、バッテリ等）から供給された電力を、連動中継器１４０の各部に供給すると共に、開閉機４０、自動閉鎖装置７０、手動閉鎖装置８０、上限検知部９０、下限検知部１００、及び切替部１３０にも供給する電源手段である。
【００５２】
制御部１４４は、連動中継器１４０の各部を制御する制御手段であると共に、手動閉鎖装置８０からの信号に基づいてシャッター装置１の状態を制御する制御手段である。この制御部１４４は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。なお、この制御部１４４によって実行される処理の詳細については後述する。
【００５３】
記憶部１４５は、連動中継器１４０の動作に必要なプログラム及び各種のデータを記憶する記憶手段である。この記憶部１４５は、書き換え可能な記録媒体を用いて構成され、例えばフラッシュメモリ等の不揮発性記録媒体を用いることができる。
【００５４】
（開閉処理）
次に、このように構成された開閉制御システム６０によって実行される開閉処理について説明する。以下の説明では、図４に示す各処理の説明ではステップを「Ｓ」と略記する。開閉処理は、シャッターカーテン３０の開閉制御を行うための処理である。この開閉処理においては、概略的には、シャッターカーテン３０を閉鎖移動又は開放移動させるために、開閉機４０の駆動部を電動駆動させたり、又は自動閉鎖装置７０を作動させる処理が行われる。また、この開閉処理における開閉機４０のブレーキの動作については、具体的には、「開閉機４０のブレーキを作用させる」こと、「開閉機４０のブレーキを機械的に解放させる」こと、「開閉機４０のブレーキを電気的に解放させる」こと、が含まれる。ここで、「開閉機４０のブレーキを作用させる」とは、開閉機４０の図示しない付勢手段（例えば、スプリング等）による付勢力を用いて、開閉機４０のブレーキを開閉機４０の出力軸に対して効かせることを意味する。また、「開閉機４０のブレーキを機械的に解放させる」とは、開閉機４０のブレーキを作用させた状態において、自動閉鎖装置７０によって開閉機４０の解放操作部が解放操作されることにより、開閉機４０の付勢手段による付勢力に抗して、開閉機４０のブレーキを解放することで、開閉機４０のブレーキを開閉機４０の出力軸に対して効かせないことを意味する。また、「開閉機４０のブレーキを電気的に解放させる」とは、開閉機４０のブレーキを作用させた状態において、開閉機４０の電磁クラッチ（図示省略）が電気的に操作されることにより、開閉機４０の付勢手段による付勢力に抗して、開閉機４０のブレーキを解放することで、開閉機４０のブレーキを開閉機４０の出力軸に対して効かせないことを意味する。また、この開閉処理を実行するタイミングは任意であるが、実施の形態１では、開閉機４０、火災報知システム５０の火災感知器５１、及び防災盤５２、並びに、開閉制御システム６０の自動閉鎖装置７０、手動閉鎖装置８０、上限検知部９０、下限検知部１００、及び連動中継器１４０の電源が投入された後に起動されるものとして説明する（なお、実施の形態２の開閉処理においては、これら装置の電源の投入に加えて、後述する防煙可能位置検知部１５０の電源が投入されることで起動される）。また、この開閉処理の前提としては、具体的には、シャッターカーテン３０の状態が全開状態であって、開閉機４０のブレーキを作用させることで、シャッターカーテン３０を停止させていること、切替部１３０の切替状態として、手動閉鎖装置８０の電動開放ボタン８１によって受け付けられる操作入力に対応する制御を電動開放制御とすると共に、手動閉鎖装置８０の電動閉鎖ボタン８２によって受け付けられる操作入力に対応する制御を電動閉鎖制御とすること、として説明する。
【００５５】
開閉処理が起動されると、シャッター装置１を通常のシャッター装置として機能させることができるように、連動中継器１４０の制御部１４４は、図４に示すように、ＳＡ１からＳＡ４の処理を行う。
【００５６】
まず、ＳＡ１において連動中継器１４０の制御部１４４は、入力部１４１によって防災信号（具体的には、煙信号や熱信号）の入力が防災盤５２から受け付けられたか否かを判定する。そして、連動中継器１４０の制御部１４４は、防災信号の入力が受け付けられていないと判定された場合（ＳＡ１、Ｎｏ）にＳＡ２に移行し、防災信号の入力が受け付けられたと判定された場合（ＳＡ１、Ｙｅｓ）にＳＡ５に移行する。なお、実施の形態１では、防災盤５２からの防災信号の入力は、感知器５１から感知信号が受信された後に防災盤５２に設けられた復旧ボタン（図示省略）が管理者等によって操作されるまで継続して受け付けられるものとする。
【００５７】
ＳＡ２において連動中継器１４０の制御部１４４は、入力部１４１によって自重閉鎖信号の入力が手動閉鎖装置８０の非常作動ボタン８４から受け付けられたか否かを判定する。ここで、自重閉鎖信号の入力が受け付けられる状況としては、例えば、建物で火災が発生している場合に、部屋の内部に煙が流入することを抑制するために、建物にいる操作者が非常作動ボタン８４を操作することにより、自重閉鎖信号の入力が受け付けられることが該当する。そして、連動中継器１４０の制御部１４４は、自重閉鎖信号の入力が受け付けられていないと判定された場合（ＳＡ２、Ｎｏ）にＳＡ３に移行し、自重閉鎖信号の入力が受け付けられたと判定された場合（ＳＡ２、Ｙｅｓ）にＳＡ５に移行する。
【００５８】
ＳＡ３において連動中継器１４０の制御部１４４は、入力部１４１よって電動閉鎖信号、電動開放信号、電動停止信号、上限検知信号、下限検知信号、又は障害物検知信号の入力が手動閉鎖装置８０、上限検知部９０、下限検知部１００、座板スイッチ１１０から受け付けられたか否かを判定する。そして、連動中継器１４０の制御部１４４は、電動閉鎖信号、電動開放信号、電動停止信号、上限検知信号、下限検知信号、又は障害物検知信号の入力が受け付けられたと判定された場合（ＳＡ３、Ｙｅｓ）、ＳＡ４に移行し、電動閉鎖信号、電動開放信号、電動停止信号、上限検知信号、下限検知信号、又は障害物検知信号の入力が受け付けられていないと判定された場合（ＳＡ３、Ｎｏ）にＳＡ１に移行する。
【００５９】
ＳＡ４において連動中継器１４０の制御部１４４は、開閉機４０によって、ＳＡ３にて入力が受け付けられた電動閉鎖信号、電動開放信号、電動停止信号、上限検知信号、下限検知信号、又は障害物検知信号に基づいて、シャッターカーテン３０を電動で閉鎖移動又は開放移動させたり、あるいは、シャッターカーテン３０の電動による閉鎖移動又は開放移動を停止させる。その後、連動中継器１４０の制御部１４４は、ＳＡ１に移行する。
【００６０】
ここで、ＳＡ３にて電動閉鎖信号、電動開放信号、又は電動停止信号の入力が受け付けられた場合には、以下に示す方法で制御が行われる。具体的には、ＳＡ３にて電動閉鎖信号又は電動開放信号の入力が受け付けられた場合には、連動中継器１４０の出力部１４２を介して開閉機４０に向けて制御信号を出力することにより、開閉機４０のブレーキを電気的に解放させると共に、開閉機４０の駆動部を駆動させることで、シャッターカーテン３０を電動で閉鎖移動又は開放移動させる。この場合において、例えば、ＳＡ３にて電動閉鎖信号又は電動開放信号の入力が受け付けられた後に建物にいる操作者が手動閉鎖装置８０の電動閉鎖ボタン８２又は電動開放ボタン８１を操作することなくシャッターカーテン３０を電動で閉鎖移動又は開放移動できるように、入力部１４１による電動閉鎖ボタン８２又は電動開放ボタン８１の入力の受け付けが停止した場合においても、連動中継器１４０の出力部１４２を介して開閉機４０に向けて制御信号を出力することにより、開閉機４０の駆動部を駆動させることで、シャッターカーテン３０の電動による閉鎖移動又は開放移動を継続させてもよい。また、シャッターカーテン３０が電動で閉鎖移動又は開放移動している場合に、電動停止信号の入力が受け付けられた場合には、出力部１４２を介して開閉機４０に制御信号を出力することにより、開閉機４０の駆動部の駆動を停止させると共に、開閉機４０のブレーキを作用させることで、シャッターカーテン３０の電動による閉鎖移動又は開放移動を停止させる。
【００６１】
また、入力部１４１によって上限検知信号、下限検知信号、又は障害物検知信号の入力が受け付けられた場合には、以下に示す方法で制御が行われる。例えば、シャッターカーテン３０が電動で開放移動している場合に、入力部１４１によって上限検知信号の入力が上限検知部９０から受け付けられた場合には、出力部１４２を介して開閉機４０に制御信号を出力することにより、開閉機４０の駆動部の駆動を停止させると共に、開閉機４０のブレーキを作用させることで、シャッターカーテン３０の電動による開放移動を停止させる。また、シャッターカーテン３０が電動で閉鎖移動している場合に、入力部１４１によって下限検知信号の入力が下限検知部１００から受け付けられた後、さらに、シャッターカーテン３０の下端部が部屋の床面と接触したことにより、入力部１４１によって障害物検知信号の入力が座板スイッチ１１０から受け付けられた場合には、出力部１４２を介して開閉機４０に制御信号を出力することにより、開閉機４０の駆動部の駆動を停止させると共に、開閉機４０のブレーキを作用させることで、シャッターカーテン３０の電動による閉鎖移動を停止させる（いわゆる、「タッチストップ動作」を行う）。また、シャッターカーテン３０が電動で閉鎖移動している場合に、入力部１４１によって下限検知信号の入力が下限検知部１００から受け付けられる前に、入力部１４１によって障害物検知信号の入力が座板スイッチ１１０から受け付けられた場合には、出力部１４２を介して開閉機４０に制御信号を出力することにより、開閉機４０の駆動部の駆動を停止させると共に、開閉機４０のブレーキを作用させることで、シャッターカーテン３０の電動による閉鎖移動を一旦停止させる。次いで、シャッターカーテン３０の下端部の位置が現状の位置よりも上方位置となるように、開閉機４０のブレーキを電気的に解放させると共に、開閉機４０の駆動部を所定時間駆動させる。そして、再び開閉機４０の駆動部の駆動を停止させると共に、開閉機４０のブレーキを作用させることで、シャッターカーテン３０の電動による閉鎖移動を停止させる（いわゆる「タッチアップ動作」を行う）。あるいは、これに限られず、入力部１４１によって下限検知信号の入力が下限検知部１００から受け付けられる前に、入力部１４１によって障害物検知信号の入力が座板スイッチ１１０から受け付けられた場合には、出力部１４２を介して開閉機４０に制御信号を出力することにより、開閉機４０の駆動部の駆動を停止させると共に、開閉機４０のブレーキを作用させることで、シャッターカーテン３０の電動による閉鎖移動を停止させてもよい（いわゆる「タッチストップ動作」を行う）。なお、入力部１４１によって下限検知信号の入力が下限検知部１００から受け付けられる前に、タッチアップ動作又はタッチストップ動作が行われた場合には、ＳＡ１の防災信号の入力、ＳＡ２の自重閉鎖信号の入力、又はＳＡ３の電動開放信号若しくは電動閉鎖信号の入力が受け付けられるまで、シャッターカーテン３０を停止させた状態を維持する。このような処理により、例えば、シャッターカーテン３０が電動で閉鎖移動している場合に、建物にいる人等に危害が生じることを防止できる。
【００６２】
これらＳＡ１からＳＡ４までの処理により、ＳＡ１にて防災信号の入力が受け付けられたり、又はＳＡ２にて自重閉鎖信号の入力が受け付けられるまでの間、図１に示すように、開口部２の上端部の位置から下限位置までの開閉範囲Ｈ１で、シャッターカーテン３０を電動で閉鎖移動又は開放移動させることができるので、シャッター装置１を通常のシャッター装置として機能させることが可能となる。
【００６３】
図４に戻り、次に、ＳＡ１又はＳＡ２において、入力部１４１によって防災信号又は自重閉鎖信号の入力が受け付けられた場合に、シャッターカーテン３０を自重で閉鎖移動させることができるように、連動中継器１４０の制御部１４４は、図４に示すように、ＳＡ５からＳＡ１１の処理を行う。
【００６４】
図４に示すように、まず、ＳＡ５において連動中継器１４０の制御部１４４は、手動閉鎖装置８０の電動停止ボタン８３、電動開放ボタン８１、及び電動閉鎖ボタン８２の操作モードを切り替える。
【００６５】
ここで、電動停止ボタン８３の操作モードの切替方法については、実施の形態１では、従来の操作モードの切替方法と同様に切り替える。具体的には、入力部１４１によって電動停止信号の入力を受け付ける制御から、入力部１４１によって電動停止信号の入力を受け付けない制御に切り替える。これにより、ＳＡ１又はＳＡ２において、入力部１４１によって防災信号又は自重閉鎖信号の入力が受け付けられた後に、操作者が誤って電動停止ボタン８３を操作した場合でも、シャッターカーテン３０の自重による閉鎖移動を妨げることを防止できる。なお、この操作モードの切り替えによってシャッター装置１の状態が変わらないことから、当該操作モードの切り替えはシャッター装置１の状態を切り替えるものではないと言える。
【００６６】
また、電動開放ボタン８１の操作モードの切替方法については、建物にいる操作者が電動開放ボタン８１を誤って操作した場合に、ＳＡ１又はＳＡ２において防災信号又は自重閉鎖信号の入力が受け付けられた後の状況に応じた制御を行うことができるように、従来の操作モードの切替方法と異なるように切り替える。具体的には、切替部１３０の電動開放スイッチ１３１ａ及び復旧スイッチ１３１ｂによって、電動開放配線４ａが接続されている状態であり、且つ第２復旧配線４ｇが接続されていない状態から、電動開放配線４ａが接続されていない状態であり、且つ第２復旧配線４ｇが接続されている状態に切り替えることで、電動開放制御から復旧制御に切り替える。これにより、例えば、火災が消火された後にシャッターカーテン３０の状態が全閉状態である場合において、操作者が誤って電動開放ボタン８１を操作した場合に、復旧制御及び電動開放制御を行うことができるので、シャッターカーテン３０の状態を確実に全開状態にすることが可能となる。
【００６７】
また、電動閉鎖ボタン８２の操作モードの切替方法については、実施の形態１では、建物にいる操作者が電動閉鎖ボタン８２を誤って操作した場合に、ＳＡ１又はＳＡ２において防災信号又は自重閉鎖信号の入力が受け付けられた後の状況に応じた制御を行うことができるように、従来の操作モードの切替方法と異なるように切り替える。具体的には、切替部１３０の電動閉鎖スイッチ１３２ａ及び自重閉鎖スイッチ１３２ｂによって、電動閉鎖配線４ｂが接続されている状態であり、且つ第２自重閉鎖配線４ｈが接続されていない状態から、電動閉鎖配線４ｂが接続されていない状態であり、且つ第２自重閉鎖配線４ｈが接続されている状態に切り替えることで、電動閉鎖制御から自重閉鎖制御に切り替える。これにより、例えば、火災時においてシャッターカーテン３０の状態が半開状態である場合に、操作者が誤って電動閉鎖スイッチ１３２ａを操作した場合には、自重閉鎖制御を行うことができ、シャッターカーテン３０の状態を確実に全閉状態にすることが可能となる。
【００６８】
ＳＡ６において連動中継器１４０の制御部１４４は、シャッターカーテン３０の下端部が部屋の床面に到達したか否かを判定する。ここで、シャッターカーテン３０の下端部が部屋の床面に到達したか否かの判定方法については、実施の形態１では、入力部１４１によって下限検知信号の入力が下限検知部１００から受け付けられた後に、入力部１４１によって障害物検知信号の入力が座板スイッチ１１０から受け付けられたか否かを判定し、下限検知信号の入力が受け付けられた後に障害物検知信号の入力が受け付けられた場合には、シャッターカーテン３０の下端部が部屋の床面に到達したと判定し、下限検知信号の入力が受け付けられた後に障害物検知信号の入力が受け付けられていない場合（又は下限検知信号の入力が受け付けられていない場合）には、シャッターカーテン３０の下端部が部屋の床面に到達していないと判定する。そして、連動中継器１４０の制御部１４４は、シャッターカーテン３０の下端部が部屋の床面に到達していないと判定された場合（ＳＡ６、Ｎｏ）図５に示す自重閉鎖処理（ＳＡ７）を起動し、シャッターカーテン３０の下端部が部屋の床面に到達したと判定された場合（ＳＡ６、Ｙｅｓ）にＳＡ８に移行する。
【００６９】
（開閉処理−自重閉鎖処理）
次に、図４に示す自重閉鎖処理（ＳＡ７）について説明する。自重閉鎖処理は、シャッターカーテン３０を自重で閉鎖移動させるための処理である。
【００７０】
図５に示すように、まず、ＳＢ１において連動中継器１４０の制御部１４４は、入力部１４１によって障害物検知信号の入力が座板スイッチ１１０から受け付けられたか否かを判定する。そして、連動中継器１４０の制御部１４４は、障害物検知信号の入力が受け付けられていないと判定された場合（ＳＢ１、Ｎｏ）にＳＢ２に移行し、障害物検知信号の入力が受け付けられたと判定された場合（ＳＢ１、Ｙｅｓ）にＳＢ４に移行する。
【００７１】
ＳＢ２において連動中継器１４０の制御部１４４は、入力部１４１によって復旧信号の入力が手動閉鎖装置８０の復旧ボタン８５又は電動開放ボタン８１から受け付けられたか否かを判定する。そして、連動中継器１４０の制御部１４４は、復旧信号の入力が受け付けられたと判定された場合（ＳＢ２、Ｙｅｓ）に図４のＳＡ１０に移行し、復旧信号の入力が受け付けられていないと判定された場合（ＳＢ２、Ｎｏ）にＳＢ３に移行する。
【００７２】
ＳＢ３において連動中継器１４０の制御部１４４は、自動閉鎖装置７０によって、シャッターカーテン３０を自重で閉鎖移動させる。具体的には、連動中継器１４０の制御部１４４は、連動中継器１４０の出力部１４２を介して自動閉鎖装置７０に制御信号を出力して、開閉機４０のブレーキを機械的に解放させることで、シャッターカーテン３０を自重で閉鎖移動させる。その後、連動中継器１４０の制御部１４４は、図４のＳＡ６に移行する。
【００７３】
ＳＢ４において連動中継器１４０の制御部１４４は、自動閉鎖装置７０によって、シャッターカーテン３０の自重による閉鎖移動を停止させる。具体的には、シャッターカーテン３０が自重で閉鎖移動している場合に、連動中継器１４０の制御部１４４は、自動閉鎖装置７０によって開閉機４０の解放操作部を解放操作される前の状態に戻すことにより、開閉機４０のブレーキが機械的に解放された状態から開閉機４０のブレーキを作用させた状態に切り替えることで、シャッターカーテン３０の自重による閉鎖移動を一旦停止させる。次いで、シャッターカーテン３０の下端部の位置が現状の位置よりも上方位置となるように、開閉機４０のブレーキを電気的に解放させると共に、開閉機４０の駆動部を所定時間駆動させる。そして、再び開閉機４０の駆動部の駆動を停止させると共に、開閉機４０のブレーキを作用させることで、シャッターカーテン３０の電動による閉鎖移動を停止させる（いわゆる「タッチアップ動作」を行う。あるいは、これに限らず、上述したように、図４のＳＡ４における「タッチストップ動作」を行ってもよい。特に、停電時においては、「タッチアップ動作」を行うことができないので、「タッチストップ動作」を行う。）。
【００７４】
ＳＢ５において連動中継器１４０の制御部１４４は、入力部１４１によって自重閉鎖信号の入力が手動閉鎖装置８０の非常作動ボタン８４又は電動閉鎖ボタン８２から受け付けられたか否かを判定する。そして、連動中継器１４０の制御部１４４は、自重閉鎖信号の入力が受け付けられたと判定された場合（ＳＢ５、Ｙｅｓ）にＳＢ３に移行し、自重閉鎖信号の入力が受け付けられていないと判定された場合（ＳＢ５、Ｎｏ）にＳＢ６に移行する。
【００７５】
ＳＢ６において連動中継器１４０の制御部１４４は、ＳＢ１にて受け付けられた障害物検知信号の入力が座板スイッチ１１０から受け付けられなくなってから所定時間（例えば１０ｓｅｃ等）が経過したか否かを判定する。そして、連動中継器１４０の制御部１４４は、上記所定時間が経過したと判定されていない場合（ＳＢ６、Ｎｏ）にはＳＢ５に移行し、上記所定時間が経過したと判定された場合（ＳＢ６、Ｙｅｓ）には、ＳＢ３に移行する。
【００７６】
以上のような処理により、ＳＢ１にて障害物検知信号の入力が受け付けられたことで、シャッターカーテン３０の自重による閉鎖移動が停止している場合に、ＳＢ６にて所定時間が経過するまでに、建物にいる操作者が手動閉鎖装置８０の非常作動ボタン８４又は電動閉鎖ボタン８２を操作することで、シャッターカーテン３０の自重による閉鎖移動を再開させることができるので、ＳＢ５の処理を行わない場合に比べて、シャッターカーテン３０の状態を迅速に全閉状態にすることが可能となる。
【００７７】
図４に戻り、ＳＡ６にてシャッターカーテン３０の下端部が部屋の床面に到達したと判定された後（ＳＡ６、Ｙｅｓ）、ＳＡ８において連動中継器１４０の制御部１４４は、自動閉鎖装置７０によって、シャッターカーテン３０の自重による閉鎖移動を停止させる。具体的には、シャッターカーテン３０が自重で閉鎖移動している場合に、連動中継器１４０の制御部１４４は、連動中継器１４０の出力部１４２を介して自動閉鎖装置７０に制御信号を出力して、自動閉鎖装置７０によって開閉機４０の解放操作部を解放操作される前の状態に戻すことにより、開閉機４０のブレーキが機械的に解放された状態から開閉機４０のブレーキを作用させた状態に切り替えることで、シャッターカーテン３０の自重による閉鎖移動を停止させる（いわゆる「タッチストップ動作」を行う。なお、後述するＳＡ１０のシャッターカーテン３０の自重による閉鎖移動の停止についても同様とする）。
【００７８】
ＳＡ９において連動中継器１４０の制御部１４４は、入力部１４１によって復旧信号の入力が手動閉鎖装置８０の復旧ボタン８５又は電動開放ボタン８１から受け付けられたか否かを判定する。そして、連動中継器１４０の制御部１４４は、復旧信号の入力が受け付けられるまで待機し（ＳＡ９、Ｎｏ）、復旧信号の入力が受け付けられたと判定された場合（ＳＡ９、Ｙｅｓ）にＳＡ１０に移行する。
【００７９】
ＳＡ１０において連動中継器１４０の制御部１４４は、自動閉鎖装置７０によって、シャッターカーテン３０の自重による閉鎖移動を停止させたり、又は、開閉機４０によって、シャッターカーテン３０を電動で開放移動させる。ここで、復旧信号の入力が手動閉鎖装置８０の復旧ボタン８５から受け付けられた場合には、以下に示す方法で制御が行われる。具体的には、シャッターカーテン３０が自重で閉鎖移動している場合に、図５のＳＢ２にて復旧信号の入力が受け付けられた場合には、自動閉鎖装置７０によって、シャッターカーテン３０の自重による閉鎖移動を停止させる。また、シャッターカーテン３０の自重による閉鎖移動が停止している場合に、図５のＳＢ２又はＳＡ９にて復旧信号の入力が受け付けられた場合には、自動閉鎖装置７０によって、当該停止させた状態を維持する。また、復旧信号の入力が手動閉鎖装置８０の電動開放ボタン８１から受け付けられた場合には、以下に示す方法で制御が行われる。具体的には、シャッターカーテン３０が自重で閉鎖移動している場合に、図５のＳＢ２にて復旧信号の入力が受け付けられた場合には、シャッターカーテン３０の自重による閉鎖移動を停止させた後、開閉機４０によって、シャッターカーテン３０を電動で開放移動させる（すなわち、復旧制御と併せて電動開放制御を行う。なお、復旧制御のみが行われる場合には、単にシャッターカーテン３０の自重による閉鎖移動を停止させる）。また、シャッターカーテン３０の自重による閉鎖移動が停止している場合に、図５のＳＢ２又はＳＡ９にて復旧信号の入力が受け付けられた場合には、開閉機４０によって、シャッターカーテン３０を電動で開放移動させる。
【００８０】
ＳＡ１１において連動中継器１４０の制御部１４４は、手動閉鎖装置８０の電動停止ボタン８３、電動開放ボタン８１、及び電動閉鎖ボタン８２の操作モードを切り替える。ここで、電動停止ボタン８３、電動開放ボタン８１、及び電動閉鎖ボタン８２の操作モードの切替方法については、実施の形態１では、ＳＡ１の防災信号の入力又はＳＡ２の自重閉鎖信号の入力が受け付けられる前の操作モードに戻すように切り替える。具体的には、電動停止ボタン８３の操作モードについては、入力部１４１によって電動停止信号の入力を受け付けない制御から、入力部１４１によって電動停止信号の入力を受け付ける制御に切り替える。また、電動開放ボタン８１の操作モードについては、切替部１３０の電動開放スイッチ１３１ａ及び復旧スイッチ１３１ｂによって、電動開放配線４ａが接続されていない状態であり、且つ第２復旧配線４ｇが接続されている状態から、電動開放配線４ａが接続されている状態であり、且つ第２復旧配線４ｇが接続されていない状態に切り替えることで、復旧制御から電動開放制御に切り替える。また、電動閉鎖ボタン８２の操作モードについては、切替部１３０の電動閉鎖スイッチ１３２ａ及び自重閉鎖スイッチ１３２ｂによって、電動閉鎖配線４ｂが接続されていない状態であり、且つ第２自重閉鎖配線４ｈが接続されている状態から、電動閉鎖配線４ｂが接続されている状態であり、且つ第２自重閉鎖配線４ｈが接続されていない状態に切り替えることで、自重閉鎖制御から電動閉鎖制御に切り替える。その後、連動中継器１４０の制御部１４４は、ＳＡ１に移行する。
【００８１】
これらＳＡ５からＳＡ１１までの処理により、ＳＡ１又はＳＡ２において、入力部１４１によって防災信号又は自重閉鎖信号の入力が受け付けられた場合に、シャッターカーテン３０を下限位置まで自重で閉鎖移動させることができるので、シャッター装置１を防火壁として機能させることができ、部屋の内部に煙や炎が流入することを抑制することが可能となる。
【００８２】
以上のような開閉処理により、シャッター装置１を、通常のシャッター装置として機能させることができると共に、防火壁として機能させることもできる。特に、防災信号又は自重閉鎖信号の入力が受け付けられた場合に手動閉鎖装置８０によって受け付けられる操作入力に対応する制御を第１制御から第２制御に切り替えることができるので（例えば、電動閉鎖ボタン８２によって受け付けられる操作入力に対応する制御を電動閉鎖制御から自重閉鎖制御に切り替えること等）、防災信号又は自重閉鎖信号の入力が受け付けられた後に手動閉鎖装置８０に対応する制御を第１制御から第２制御に切り替えることにより、操作者が手動閉鎖装置８０を誤って操作した場合に当該入力が受け付けられた後の状況に応じた第２制御を行うことができ、操作者の利便性を向上させることができる。
【００８３】
（効果）
このように実施の形態１によれば、手動閉鎖装置８０によって受け付けられる操作入力に対応する制御を、入力部１４１によって防災信号の入力が受け付けられる前には、シャッター装置１を第１状態にする第１制御とし、入力部１４１によって防災信号の入力が受け付けられた場合には、シャッター装置１を第２状態にする第２制御に切り替える切替部１３０を備えているので、防災信号又は自重閉鎖信号の入力が受け付けられた後に手動閉鎖装置８０に対応する制御を第１制御から第２制御に切り替えることにより、操作者が手動閉鎖装置８０を誤って操作した場合に当該入力が受け付けられた後の状況に応じた第２制御を行うことができ、操作者の利便性を向上させることができる。
【００８４】
また、切替部１３０は、電動閉鎖ボタン８２によって受け付けられる操作入力に対応する制御を、入力部１４１によって防災信号の入力が受け付けられる前には、電動閉鎖制御とし、入力部１４１によって防災信号の入力が受け付けられた場合には、自重閉鎖制御とするので、防災信号の入力が受け付けられた場合に電動閉鎖ボタン８２によって受け付けられる操作入力に対応する制御を電動閉鎖制御から自重閉鎖制御に切り替えることができるので、例えば、火災時において、シャッターカーテン３０の状態が半開状態である場合に、操作者が誤って電動閉鎖ボタン８２を操作した場合には、自重閉鎖制御を行うことができ、シャッターカーテン３０の状態を確実に全閉状態にすることが可能となる。
【００８５】
また、手動閉鎖装置８０からの信号に基づいてシャッター装置１の状態を制御する制御部１４４を備え、手動閉鎖装置８０と制御部１４４とを切替部１３０を介して接続したので、例えば、既存のシャッター装置１に対して、当該シャッター装置の制御手段と当該シャッター装置の操作手段とを切替手段を介して接続することで、開閉制御システム６０を構築でき、開閉制御システム６０の製造コストを低減することが可能となる。
【００８６】
〔実施の形態２〕
次に、実施の形態２に係る開閉制御システムについて説明する。この実施の形態２は、煙信号又は自重閉鎖信号の入力が受け付けられた場合に、後述する防煙可能位置検知信号の入力が受け付けられるまでシャッターカーテンを自重で閉鎖移動させた後、熱信号の入力が受け付けられた場合に、シャッターカーテンの下端部が床面に到達するまでシャッターカーテンを自重で閉鎖移動させる（いわゆるシャッターカーテンを二段降下させる）形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００８７】
（構成）
まず、実施の形態２に係るシャッター装置の構成を説明する。実施の形態２に係るシャッター装置１０１は、実施の形態１に係るシャッター装置１とほぼ同様に構成されている。ただし、開閉制御システム６０の構成については、下記に示す工夫が施されている。
【００８８】
（構成−開閉制御システム）
次に、開閉制御システム６０の構成について説明する。図６に示すように、開閉制御システム６０は、自動閉鎖装置７０、手動閉鎖装置８０、上限検知部９０、下限検知部１００、防煙可能位置検知部１５０、座板スイッチ１１０、コードリール１２０、切替部１３０、及び連動中継器１４０を備えて構成されている。
【００８９】
（構成−開閉制御システム−防煙可能位置検知部）
防煙可能位置検知部１５０は、シャッターカーテン３０の下端部の位置が防煙可能位置Ｈｓに達しているか否かを検出する防煙可能位置検知手段である。ここで、「防煙可能位置Ｈｓ」とは、開口部２の上端部と開口部２の下端部との間にある位置であって、建物で火災が発生した場合における煙の広がりを防ぐことが可能な位置を意味する。この「防煙可能位置Ｈｓ」の設定方法については任意であるが、実施の形態２では、部屋の床面から１８００ｍｍ上方に離れた位置を防煙可能位置Ｈｓとして設定する。ただし、これに限られず、例えば、部屋の床面から１８００ｍｍを下回る距離上方に離れた位置、又は部屋の床面から１８００ｍｍを上回る距離上方に離れた位置を防煙可能位置Ｈｓとして設定してもよい。また、この防煙可能位置検知部１５０は、例えばカウンター式のリミットスイッチ等の公知の検知センサを用いて構成されており、開閉機４０の近傍位置に設置されている。また、この防煙可能位置検知部１５０が開閉機４０の出力軸の回転数を検出するカウンター式のリミットスイッチである場合の検知動作を行う方法については、例えば、開閉機４０の出力軸の回転数が、シャッターカーテン３０の下端部が開口部２の上端部から防煙可能位置Ｈｓに到達するまでに必要な必要回転数に達していない場合には、防煙可能位置検知検知信号を出力しないが、開閉機４０の出力軸の回転数が上記必要回転数に達している場合には、防煙可能位置検知検知信号を出力する。
【００９０】
（開閉処理）
次に、このように構成された開閉制御システム６０によって実行される開閉処理について説明する。実施の形態２に係る開閉処理については、図７、図８のＳＣ３からＳＣ６、ＳＣ８、ＳＣ１２からＳＣ１６は、図４のＳＡ２からＳＡ１１とそれぞれ同様であるので、説明を省略する。
【００９１】
開閉処理が起動されると、図７に示すように、シャッター装置１０１を通常のシャッター装置として機能させることができるように、連動中継器１４０の制御部１４４は、ＳＣ１からＳＣ５、ＳＣ１７の処理を行う。
【００９２】
まず、ＳＣ１において連動中継器１４０の制御部１４４は、入力部１４１によって防災信号のうち熱信号の入力が防災盤５２から受け付けられたか否かを判定する。そして、連動中継器１４０の制御部１４４は、熱信号の入力が受け付けられていないと判定された場合（ＳＣ１、Ｎｏ）にＳＣ２に移行し、熱信号の入力が受け付けられたと判定された場合（ＳＣ１、Ｙｅｓ）にＳＣ６と同様の処理であるＳＣ１７（すなわち、手動閉鎖装置８０の電動停止ボタン８３、電動開放ボタン８１、及び電動閉鎖ボタン８２の操作モードを切り替える）の処理を行い、その後ＳＣ１２に移行する。このような処理により、入力部１４１によって熱信号の入力が受け付けられた場合には、図８に示す自重閉鎖処理（ＳＣ８）において、シャッターカーテン３０の下端部の位置が下限位置に達するように、自動閉鎖装置７０によって、シャッターカーテン３０を自重で閉鎖移動させることができるので、シャッター装置１０１を防火壁として迅速に機能させることできる。
【００９３】
ＳＣ２において連動中継器１４０の制御部１４４は、入力部１４１によって防災信号のうち煙信号の入力が防災盤５２から受け付けられたか否かを判定する。そして、連動中継器１４０の制御部１４４は、煙信号の入力が受け付けられていないと判定された場合（ＳＣ２、Ｎｏ）にＳＣ３に移行し、熱信号の入力が受け付けられたと判定された場合（ＳＣ２、Ｙｅｓ）にＳＣ６に移行する。
【００９４】
次に、ＳＣ２又はＳＣ３において、入力部１４１によって煙信号又は自重閉鎖信号の入力が受け付けられた場合に、シャッター装置１０１を防煙垂れ壁として機能させることができるように、図７に示すように、連動中継器１４０の制御部１４４は、ＳＣ６からＳＣ９の処理を行う。
【００９５】
図７に示すように、ＳＣ６の処理後、ＳＣ７において連動中継器１４０の制御部１４４は、入力部１４１によって防煙可能位置検知信号の入力が防煙可能位置検知部１５０から受け付けられたか否かを判定する。ここで、防煙可能位置検知信号の入力が受け付けられる状況としては、例えば、シャッターカーテン３０の下端部の位置が開口部２の上端部の位置から防煙可能位置Ｈｓと同一の位置又はそれよりも下方位置になることにより、防煙可能位置検知信号の入力が受け付けられることが該当する。そして、連動中継器１４０の制御部１４４は、防煙可能位置検知信号の入力が受け付けられていないと判定された場合（ＳＣ７、Ｎｏ）にＳＣ８に移行し、防煙可能位置検知信号の入力が受け付けられたと判定された場合（ＳＣ７、Ｙｅｓ）にＳＣ９に移行する。
【００９６】
ＳＣ９において連動中継器１４０の制御部１４４は、自動閉鎖装置７０によって、シャッターカーテン３０の自重による閉鎖移動を停止させる。
【００９７】
これらＳＣ６からＳＣ９までの処理により、ＳＣ２又はＳＣ３において入力部１４１によって煙信号又は自重閉鎖信号の入力が受け付けられた場合において、図６に示すように、シャッターカーテン３０の下端部の位置が開口部２の上端部の位置から防煙可能位置Ｈｓよりも上方位置までの第１閉鎖範囲Ｈ２に位置する場合には、シャッターカーテン３０を自重で閉鎖移動させることにより、シャッターカーテン３０の下端部の位置を防煙可能位置Ｈｓと同一位置にできると共に、ＳＣ８、後述するＳＣ１０又は後述するＳＣ１１にて熱信号又は復旧信号の入力が受け付けられるまで、シャッターカーテン３０の下端部の位置を防煙可能位置Ｈｓと同一位置に維持できる。また、シャッターカーテン３０の下端部の位置が防煙可能位置Ｈｓよりも下方位置である場合には、ＳＣ８、後述するＳＣ１０又は後述するＳＣ１１にて熱信号、自重閉鎖信号、又は復旧信号の入力が受け付けられるまで、シャッターカーテン３０の下端部の位置を現状の位置で維持できる。以上のことから、シャッター装置１０１を防煙垂れ壁として機能させることでき、火災時において建物にいる人が避難するための空間を確保しやすくなる。
【００９８】
続いて、ＳＣ２又はＳＣ３において、入力部１４１によって煙信号又は自重閉鎖信号の入力が受け付けられた場合に、シャッター装置１０１を防火壁として機能させることができるように、図８に示すように、連動中継器１４０の制御部１４４は、ＳＣ１０からＳＣ１５の処理を行う。
【００９９】
図８に示すように、ＳＣ１０において連動中継器１４０の制御部１４４は、入力部１４１によって防災信号のうち熱信号の入力又は自重閉鎖信号の入力のいずれか一方が防災盤５２又は手動閉鎖装置８０の非常作動ボタン８４若しくは電動閉鎖ボタン８２から受け付けられたか否かを判定する。そして、連動中継器１４０の制御部１４４は、熱信号の入力又は自重閉鎖信号の入力のいずれか一方が受け付けられていないと判定された場合（ＳＣ１０、Ｎｏ）にＳＣ１１に移行し、熱信号の入力又は自重閉鎖信号の入力のいずれか一方が受け付けられたと判定された場合（ＳＣ１０、Ｙｅｓ）にＳＣ１２に移行する。ここで、ＳＣ１０の処理の前に、手動閉鎖装置８０の電動停止ボタン８３、電動開放ボタン８１、及び電動閉鎖ボタン８２の操作モードをＳＡ１の防災信号の入力又はＳＡ２の自重閉鎖信号の入力が受け付けられる前の操作モードに戻すように切り替えることも考えられる。この場合において、例えば、部屋の中に流入する煙の量が増えてきたことで、操作者がシャッターカーテン３０の状態を全閉状態にするために電動閉鎖ボタン８２を操作すると、シャッターカーテン３０を電動で閉鎖移動させることができる。しかしながら、このシャッターカーテン３０が電動で閉鎖移動している途中で座板スイッチ１１０によって障害物が検知された場合には、上述したように、シャッターカーテン３０の電動による閉鎖移動が停止するが、その後ＳＣ１０にて熱信号等の入力が受け付けられるまでシャッターカーテン３０が停止した状態を維持するため、当該熱信号等の入力が受け付けられるまでの間に火災の炎や煙が部屋の中に流入するおそれがあった。そこで、このような問題を解消するために、実施の形態２では、ＳＣ１０の処理の前では、上記電動停止ボタン８３、電動開放ボタン８１、及び電動閉鎖ボタン８２の操作モードの切り替えを行わず、ＳＣ１０にて熱信号等の入力が受け付けられると、ＳＣ１２にてシャッターカーテン３０の下端部が部屋の床面に到達したと判定されるまで、自重閉鎖処理（ＳＣ８）を行うことにしている。
【０１００】
ＳＣ１１において連動中継器１４０の制御部１４４は、入力部１４１によって復旧信号の入力が手動閉鎖装置８０の復旧ボタン８５又は電動開放ボタン８１から受け付けられたか否かを判定する。そして、連動中継器１４０の制御部１４４は、復旧信号の入力が受け付けられていないと判定された場合（ＳＣ１１、Ｎｏ）にＳＣ１０に移行し、復旧信号の入力が受け付けられたと判定された場合（ＳＣ１１、Ｙｅｓ）にＳＣ１５に移行する。
【０１０１】
これらＳＣ１０からＳＣ１６までの処理により、ＳＣ１０において、入力部１４１によって熱信号の入力又は自重閉鎖信号の入力のいずれか一方が受け付けられた場合に、図６に示すように、シャッターカーテン３０の下端部の位置が防煙可能位置Ｈｓと同一位置又はそれよりも下方位置までの第２閉鎖範囲Ｈ３に位置する場合には、シャッターカーテン３０を下限位置まで自重で閉鎖移動させることができるので、シャッター装置１０１を防火壁として機能させることでき、部屋の内部に煙や炎が流入することを抑制することが可能となる。
【０１０２】
以上のような開閉処理により、シャッター装置１０１を、通常のシャッター装置及び防火壁として機能させることに加えて、防煙垂れ壁としても機能させることができるので、実施の形態１のシャッター装置１及び防煙垂れ壁の両方を設置する場合に比べて設置コストを低減することが可能となる。
【０１０３】
（効果）
このように実施の形態２によれば、シャッター装置１０１を、通常のシャッター装置、防煙垂れ壁、及び防火壁として機能させる場合において、切替部１３０は、手動閉鎖装置８０によって受け付けられる操作入力に対応する制御を、入力部１４１によって防災信号の入力が受け付けられる前には、シャッター装置１０１を第１状態にする第１制御とし、入力部１４１によって防災信号の入力が受け付けられた場合には、シャッター装置１０１を第２状態にする第２制御に切り替えるので、操作者が手動閉鎖装置８０を誤って操作した場合に、手動閉鎖装置８０に対応する制御の切り替えによって状況に応じた第２制御を行うことができ、操作者の利便性を向上させることができる。
【０１０４】
〔実施の形態３〕
次に、実施の形態３に係る開閉制御システムについて説明する。この実施の形態３は、電動開放操作手段によって受け付けられる操作入力に対応する制御の切り替えを実施の形態１とは異なるものとした形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１０５】
（構成）
まず、実施の形態３に係るシャッター装置の構成を説明する。実施の形態３に係るシャッター装置１は、実施の形態１に係るシャッター装置１とほぼ同様に構成されている。ただし、開閉制御システム６０の構成については、下記に示す工夫が施されている。
【０１０６】
（構成−開閉制御システム）
次に、開閉制御システム６０の構成について説明する。開閉制御システム６０は、自動閉鎖装置７０、手動閉鎖装置８０、上限検知部９０、下限検知部１００、座板スイッチ１１０、コードリール１２０、及び連動中継器１４０を備えて構成されている。
【０１０７】
（構成−開閉制御システム−連動中継器）
連動中継器１４０は、図９に示すように、入力部１４１、出力部１４２、電源部１４３、制御部１４４、及び記憶部１４５を備えている。このうち、制御部１４４は、概略的に、切替部１３０を備えて構成されている。切替部１３０は、例えば、マイコン等を用いて構成されており、マイコン上で解釈実行される各種のプログラムを用いて、手動閉鎖装置８０によって受け付けられる操作入力に対応する制御を、連動中継器１４０の入力部１４１によって防災信号又は自重閉鎖信号の入力が受け付けられる前には、シャッター装置１を第１状態にする第１制御とし、連動中継器１４０の入力部１４１によって防災信号又は自重閉鎖信号の入力が受け付けられた場合には、シャッター装置１を第２状態にする第２制御に切り替える。
【０１０８】
（開閉処理）
次に、このように構成された開閉制御システム６０によって実行される開閉処理について説明する。実施の形態３に係る開閉処理については、図４のＳＡ１からＳＡ４、ＳＡ６からＳＡ８、ＳＡ１０、ＳＡ１１とそれぞれ同様であるので、説明を省略する。
【０１０９】
図４に示すように、ＳＡ５において連動中継器１４０の切替部１３０は、手動閉鎖装置８０の電動停止ボタン８３及び電動閉鎖ボタン８２の操作モードを切り替える。ここで、電動閉鎖ボタン８２の操作モードの切替方法については、実施の形態３では、切替部１３０で解釈実行される各種のプログラムに基づいて、電動閉鎖ボタン８２によって受け付けられる操作入力に対応する制御を、電動閉鎖制御から自重閉鎖制御に切り替える。
【０１１０】
また、ＳＡ９において連動中継器１４０の制御部１４４は、入力部１４１によって復旧信号の入力が手動閉鎖装置８０の復旧ボタン８５又は電動開放ボタン８１から受け付けられたか否かを判定する。
【０１１１】
ここで、電動開放ボタン８１から復旧信号の入力が受け付けられた否かの判定方法については、電動開放ボタン８１によって受け付けられる操作入力に対応する制御が復旧制御であるか否かに基づいて判定する（図５のＳＢ２の処理についても同様とする）。具体的には、ＳＡ１において防災信号の入力が受け付けられた後、この防災信号の入力が受け付けられていない状態で電動開放ボタン８１の操作入力が受け付けられた場合には、切替部１３０で解釈実行される各種のプログラムに基づいて、上記操作入力に対応する制御を電動開放制御から復旧制御に切り替える。これにより、上記操作入力に対応する制御が復旧制御であるので、復旧信号の入力が受け付けられたと判定する。この場合において、実施の形態３では、電動開放制御から復旧制御に切り替えた場合に復旧制御と併せて電動開放制御を行うものとする（例えば、復旧制御を行った後に電動開放制御を行う等）。これにより、電動開放ボタン８１を１回操作するだけで、復旧制御及び電動開放制御を行うことができ、電動開放ボタン８１の操作性を向上させることが可能となる（ただし、これに限られず、例えば、単に復旧制御のみを行ってもよい）。また、ＳＡ１において防災信号の入力が受け付けられた後、この防災信号の入力が受け付けられている状態で電動開放ボタン８１の操作入力が受け付けられた場合には、切替部１３０で解釈実行される各種のプログラムに基づいて、上記操作入力に対応する制御を電動開放制御から上記操作入力に対応する制御を行わない制御（以下、「非制御」と称する）に切り替える。これにより、上記操作入力に対応する制御が非制御であるので、復旧信号の入力が受け付けられていないと判定する。また、電動開放ボタン８１の操作入力が受け付けられていない場合には、復旧信号の入力が受け付けられていないと判定する。以上のような判定方法により、例えば、火災が消火された後にシャッターカーテン３０の状態が全閉状態である場合において、操作者が誤って電動開放ボタン８１を操作した場合に、復旧制御及び電動開放制御を行うことができるので、シャッターカーテン３０の状態を確実に全開状態にすることが可能となる。また、例えば、火災が継続している際にシャッターカーテン３０の状態が全閉状態である場合において、操作者が誤って電動開放ボタン８１を操作した場合に、非制御を行うことができるので、復旧制御を行うことを防止できる。よって、シャッターカーテン３０の電動による開放移動によって火災の炎や煙が流入することを防止できる。
【０１１２】
そして、連動中継器１４０の制御部１４４は、復旧信号の入力が受け付けられるまで待機し（ＳＡ９、Ｎｏ）、復旧信号の入力が受け付けられたと判定された場合（ＳＡ９、Ｙｅｓ）にＳＡ１０に移行する。
【０１１３】
（効果）
このように実施の形態３によれば、切替部１３０は、電動開放ボタン８１によって受け付けられる操作入力に対応する制御を、入力部１４１によって防災信号の入力が受け付けられる前には、電動開放制御とし、入力部１４１によって防災信号の入力が受け付けられた後、防災信号の入力が受け付けられていない状態で電動開放ボタン８１の操作入力が受け付けられた場合には、復旧制御とし、入力部１４１によって防災信号の入力が受け付けられた後、防災信号の入力が受け付けられている状態で電動開放ボタン８１の操作入力が受け付けられた場合には、非制御とするので、防災信号の入力が受け付けられていない状態で電動開放ボタン８１の操作入力が受け付けられた場合には、電動開放ボタン８１によって受け付けられる操作入力に対応する制御を電動開放制御から復旧制御に切り替えることができる。よって、例えば、火災が消火された後にシャッターカーテン３０の状態が全閉状態である場合において、操作者が誤って電動開放ボタン８１を操作した場合には、復旧制御を行うことができ、シャッターカーテン３０の状態を確実に全開状態にすることが可能となる。また、防災信号の入力が受け付けられている状態で電動開放ボタン８１の操作入力が受け付けられた場合には、電動開放ボタン８１によって受け付けられる操作入力に対応する制御を電動開放制御から非制御に切り替えることができる。よって、例えば、火災が継続している場合に、操作者が誤って電動開放ボタン８１を操作した場合には、非制御にすることができ、復旧制御を行うことを防止できるため、シャッターカーテン３０の電動による開放移動によって火災の炎や煙が流入することを防止することが可能となる。
【０１１４】
また、切替部１３０は、電動開放ボタン８１によって受け付けられる操作入力に対応する制御として復旧制御を行う場合には、当該復旧制御と併せて電動開放制御を行うので、操作者が電動開放ボタン８１を１回操作するだけで復旧制御及び電動開放制御を行うことができ、電動開放ボタン８１の操作性を向上させることが可能となる。
【０１１５】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１１６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係るシャッター装置の操作者の利便性が従来と同程度であっても、従来と異なる構造により従来と同程度の操作者の利便性である場合には、本願の課題は解決している。
【０１１７】
（上限検知部、下限検知部、防煙可能位置検知部について）
上記実施の形態１から３では、上限検知部９０及び下限検知部１００は、カウンター式のリミットスイッチであると説明したが、これに限られない。例えば、シャッターカーテン３０の下端部の位置が上下位置又は下限位置に達しているか否かを検出できるもの（具体的には、ローラレバー式のリミットスイッチ、光電センサ、音波センサ等）であってもよい（なお、上記実施の形態２の防煙可能位置検知部１５０についても同様とする）。
【０１１８】
（電動開放信号、電動閉鎖信号、電動停止信号、自重閉鎖信号、復旧信号について）
上記実施の形態１から３では、電動開放信号、電動閉鎖信号、電動停止信号、自重閉鎖信号、及び復旧信号は、手動閉鎖装置８０から送信されると説明したが、これに限られず、例えば、シャッター装置が設置された部屋から離れた位置からでも遠隔操作によりシャッターカーテン３０の開閉制御を行うことができるように、他の部屋又は他の建物に設けられたセンタ装置等の外部装置から送信されてもよい。
【０１１９】
（座板スイッチと連動中継器との通信方法について）
上記実施の形態１から３では、座板スイッチ１１０と連動中継器１４０との相互間では、コードリール１２０及び配線４を用いた有線通信が行われると説明したが、これに限られず、例えば、これらコードリール１２０及び配線４を用いた有線通信に代えて、公知の無線通信（赤外線、電波通信等）が行われてもよい。
【０１２０】
（切替部について）
上記実施の形態１、２では、切替部１３０は、連動中継器１４０の制御部１４４と別体に形成されていると説明したが、これに限られず、例えば、部品数を低減するために、連動中継器１４０の制御部１４４と一体に形成されてもよい。この場合において、切替部１３０の具体的な構成については任意であるが、例えば、リレー回路を用いて構成されてもよく、又は、マイコンを用いて構成されてもよい。また、上記実施の形態３では、切替部１３０は、マイコンを用いて構成されていると説明したが、これに限られず、例えば、リレー回路を用いて構成されてもよい。
【０１２１】
また、上記実施の形態１から３では、切替部１３０は、電動開放ボタン８１によって受け付けられる操作入力に対応する制御を、連動中継器１４０の入力部１４１による防災信号の入力の受け付け状態に応じて電動開放制御又は復旧制御に切り替えると説明したが、これに限られない。例えば、電動開放ボタン８１によって受け付けられる操作入力に対応する制御の切り替えに代えて（あるいは、電動開放ボタン８１によって受け付けられる操作入力に対応する制御の切り替えと並存させながら）、電動停止ボタン８３によって受け付けられる操作入力に対応する制御を、入力部１４１による防災信号又は自重閉鎖信号の入力の受け付け状態に応じて電動停止制御又は復旧制御に切り替えてもよい。
【０１２２】
この場合において、実施の形態１、２に係る切替部１３０の具体的な構成については、電動停止配線４ｃが第２復旧配線４ｇと接続されると共に、切替部１３０には電動停止ボタン側リレーが設けられる。そして、この電動停止ボタン側リレーは、電動停止配線４ｃの接続切替のための電動停止スイッチと、復旧スイッチとを備える。このような構成により、電動停止ボタン８３によって受け付けられる操作入力に対応する制御を、電動停止スイッチ及び復旧スイッチによる電動停止配線４ｃ及び第２復旧配線４ｇの接続状態を切り替えることで、入力部１４１によって防災信号又は自重閉鎖信号の入力が受け付けられる前には、電動停止制御とし、入力部１４１によって防災信号又は自重閉鎖信号の入力が受け付けられた場合には、復旧制御とすることが可能となる。よって、例えば、火災時においてシャッターカーテン３０が自重で閉鎖移動している場合において、操作者が誤って電動停止ボタン８３を操作した場合に、復旧制御を行うことができ、シャッターカーテン３０を確実に停止させることが可能となる。
【０１２３】
（開閉処理について）
上記実施の形態１、３では、ＳＡ１、ＳＡ２の処理が行われると説明したが、これに限られず、例えば、連動中継器１４０が防災盤５２と電気的に接続されていない場合、又は手動閉鎖装置８０の非常作動ボタン８４を省略する場合には、ＳＡ１、ＳＡ２のいずれか一方を省略することができる（なお、上記実施の形態２に係るＳＣ２、ＳＣ３の処理についても同様とする）。
【０１２４】
また、上記実施の形態１、３では、ＳＡ２の処理において、自重閉鎖信号の入力が受け付けられたと判定された場合にＳＡ５に移行すると説明したが、これに限られず、例えば、ＳＡ５に代えてＳＡ６に移行してもよい。
【０１２５】
また、上記実施の形態１、３では、ＳＡ４の処理において、ＳＡ３にて電動閉鎖信号又は電動開放信号の入力が受け付けられた後、入力部１４１による電動閉鎖信号又は電動開放信号の入力の受け付けが停止した場合においても、シャッターカーテン３０を電動で閉鎖移動又は開放移動させると説明したが、これに限られない。例えば、建物にいる操作者によって手動閉鎖装置８０の電動閉鎖ボタン８２又は電動開放ボタン８１が操作されている間のみ、シャッターカーテン３０を電動で閉鎖移動又は開放移動することができるように、入力部１４１による電動閉鎖ボタン８２又は電動開放ボタン８１の入力が受け付けられている間のみ、シャッターカーテン３０を電動で閉鎖移動又は開放移動させてもよい（なお、上記実施の形態２に係るＳＣ５の処理についても同様とする）。
【０１２６】
また、上記実施の形態２では、ＳＣ２又はＳＣ３にて煙信号又は自重閉鎖信号の入力が受け付けられた場合において、シャッターカーテン３０の下端部の位置が防煙可能位置Ｈｓよりも下方位置である場合には、シャッターカーテン３０の下端部の位置を現状の位置で維持すると説明したが、これに限られない。例えば、ＳＡ１にて防災信号の入力が受け付けられたり、又はＳＡ２にて自重閉鎖信号の入力が受け付けられた場合において、ＳＣ２又はＳＣ３にて煙信号又は自重閉鎖信号の入力が受け付けられた場合において、シャッターカーテン３０の下端部の位置が防煙可能位置Ｈｓよりも下方位置である場合（具体的には、シャッターカーテン３０の下端部の位置が下限位置である場合等）には、建物にいる人が避難できる空間を確保できるように、シャッターカーテン３０の下端部の位置が防煙可能位置Ｈｓと同一位置（又はそれよりも若干下方位置）となるように、シャッターカーテン３０を電動で開放移動させてもよい。
【０１２７】
また、上記実施の形態３では、ＳＡ９において、入力部１４１によって復旧信号の入力が手動閉鎖装置８０の電動開放ボタン８１から受け付けられたか否かを判定すると説明したが、これに限られない。例えば、電動停止ボタン８３によって受け付けられる操作入力に対応する制御を、入力部１４１による防災信号又は自重閉鎖信号の入力の受け付け状態に応じて電動停止制御又は復旧制御に切り替える場合には、上述した電動開放ボタン８１から復旧信号の入力が受け付けられた否かの判定方法と同様の方法を用いることで、入力部１４１によって復旧信号の入力が受け付けられたか否かを判定してもよい。この場合には、例えば、上記電動停止ボタン８３から復旧信号の入力が受け付けられた後において、ＳＡ１における防災信号の入力が継続して受け付けられている状態で上記電動停止ボタン８３の操作入力が受け付けられている場合（具体的には、ユーザによって電動停止ボタン８３が継続して押されている場合）のみ、電動停止ボタン８３によって受け付けられる操作入力に対応する制御を、復旧制御としてもよい。これにより、上記電動停止ボタン８３から復旧信号の入力が受け付けられた後において、ＳＡ１における防災信号の入力が継続して受け付けられている状態で上記電動停止ボタン８３の操作入力が受け付けられていない場合には、シャッターカーテン３０を自重で閉鎖移動させることができる。また、ＳＡ１における防災信号の入力が継続して受け付けられている状態で上記電動停止ボタン８３の操作入力が受け付けられている場合には、シャッターカーテン３０の自重による閉鎖移動を停止させることができ、その後上記電動停止ボタン８３の操作入力が受け付けられなくなった場合には、シャッターカーテン３０の自重による閉鎖移動を再開させることができる。以上のように、ユーザが電動停止ボタン８３を操作している間においてシャッターカーテン３０の自重による閉鎖移動を停止させることにより、火災時において建物にいる人が避難するための空間を確保することができ、建物にいる人の安全性を確保できる。また、ユーザが電動停止ボタン８３を操作していない間においてシャッターカーテン３０を自重で閉鎖移動させることにより、ユーザが手動閉鎖装置８０を操作することなくシャッターカーテン３０の状態を全閉状態にすることができ、部屋の内部に煙や炎が流入することを抑制できる。したがって、人の安全性とシャッター装置１の防火性とを両立した制御を行うことが可能となる。
【０１２８】
（付記）
付記１の開閉制御システムは、建物の開口部を開閉するシャッターカーテンの開閉制御を行う開閉制御システムであって、前記シャッターカーテンを自重で閉鎖させるように、当該シャッターカーテンの開閉制御を開始するトリガとなるトリガ信号の入力を受け付ける入力手段と、前記シャッターカーテンと前記開閉制御システムとを備えるシャッター装置の状態を制御するための操作入力を受け付ける操作手段と、前記操作手段によって受け付けられる操作入力に対応する制御を、前記入力手段によって前記トリガ信号の入力が受け付けられる前には、前記シャッター装置を第１状態にする第１制御とし、前記入力手段によって前記トリガ信号の入力が受け付けられた場合には、前記シャッター装置を第２状態にする第２制御に切り替える切替手段と、を備えた。
【０１２９】
付記２の開閉制御システムは、付記１に記載の開閉制御システムにおいて、前記操作手段は、前記シャッターカーテンを電動で閉鎖移動状態にするための電動閉鎖制御の操作入力を受け付ける電動閉鎖操作手段を含み、前記切替手段は、前記電動閉鎖操作手段によって受け付けられる操作入力に対応する制御を、前記入力手段によって前記トリガ信号の入力が受け付けられる前には、前記電動閉鎖制御とし、前記入力手段によって前記トリガ信号の入力が受け付けられた場合には、前記シャッターカーテンを自重で閉鎖移動状態にするための自重閉鎖制御とする。
【０１３０】
付記３の開閉制御システムは、付記１又は２に記載の開閉制御システムにおいて、前記操作手段は、前記シャッターカーテンを電動で開放移動状態にするための電動開放制御の操作入力を受け付ける電動開放操作手段を含み、前記切替手段は、前記電動開放操作手段によって受け付けられる操作入力に対応する制御を、前記入力手段によって前記トリガ信号の入力が受け付けられる前には、前記電動開放制御とし、前記入力手段によって前記トリガ信号の入力が受け付けられた場合には、当該開閉制御システムを当該トリガ信号の入力が受け付けられる前の状態に復旧させるための復旧制御とする。
【０１３１】
付記４の開閉制御システムは、付記１又は２に記載の開閉制御システムにおいて、前記操作手段は、前記シャッターカーテンを電動で開放移動状態にするための電動開放制御の操作入力を受け付ける電動開放操作手段を含み、前記切替手段は、前記電動開放操作手段によって受け付けられる操作入力に対応する制御を、前記入力手段によって前記トリガ信号の入力が受け付けられる前には、前記電動開放制御とし、前記入力手段によって前記トリガ信号の入力が受け付けられた後、前記トリガ信号の入力が受け付けられていない状態で前記電動開放操作手段の操作入力が受け付けられた場合には、当該開閉制御システムを当該トリガ信号の入力が受け付けられる前の状態に復旧させるための復旧制御とし、前記入力手段によって前記トリガ信号の入力が受け付けられた後、前記トリガ信号の入力が受け付けられている状態で前記電動開放操作手段の操作入力が受け付けられた場合には、当該操作入力に対応する制御を行わないようにする非制御とする。
【０１３２】
付記５の開閉制御システムは、付記３又は４に記載の開閉制御システムにおいて、前記切替手段は、前記電動開放操作手段によって受け付けられる操作入力に対応する制御として前記復旧制御を行う場合には、当該復旧制御と併せて前記電動開放制御を行う。
【０１３３】
付記６の開閉制御システムは、付記１から５のいずれか一項に記載の開閉制御システムにおいて、前記操作手段は、前記シャッターカーテンの電動による閉鎖移動又は開放移動を停止するための電動停止制御の操作入力を受け付ける電動停止操作手段を含み、前記切替手段は、前記電動停止操作手段によって受け付けられる操作入力に対応する制御を、前記入力手段によって前記トリガ信号の入力が受け付けられる前には、前記電動停止制御とし、前記入力手段によって前記トリガ信号の入力が受け付けられた場合には、前記開閉制御システムを当該トリガ信号の入力が受け付けられる前の状態に復旧させるための復旧制御とする。
【０１３４】
付記７の開閉制御システムは、付記１から５のいずれか一項に記載の開閉制御システムにおいて、前記操作手段は、前記シャッターカーテンの電動による閉鎖移動又は開放移動を停止するための電動停止制御の操作入力を受け付ける電動停止操作手段を含み、前記切替手段は、前記電動停止操作手段によって受け付けられる操作入力に対応する制御を、前記入力手段によって前記トリガ信号の入力が受け付けられる前には、前記電動停止制御とし、前記入力手段によって前記トリガ信号の入力が受け付けられた後、前記トリガ信号の入力が受け付けられている状態で前記電動停止操作手段の操作入力が受け付けられている場合のみ、当該開閉制御システムを当該トリガ信号の入力が受け付けられる前の状態に復旧させるための復旧制御とする。
【０１３５】
付記８の開閉制御システムは、付記１から７のいずれか一項に記載の開閉制御システムにおいて、前記操作手段からの信号に基づいて前記シャッター装置の状態を制御する制御手段を備え、前記操作手段と前記制御手段とを前記切替手段を介して接続した。
【０１３６】
（付記の効果）
付記１に記載の開閉制御システムによれば、操作手段によって受け付けられる操作入力に対応する制御を、入力手段によってトリガ信号の入力が受け付けられる前には、シャッター装置を第１状態にする第１制御とし、入力手段によってトリガ信号の入力が受け付けられた場合には、シャッター装置を第２状態にする第２制御に切り替える切替手段を備えているので、トリガ信号の入力が受け付けられた後に操作手段に対応する制御を第１制御から第２制御に切り替えることにより、操作者が操作手段を誤って操作した場合に当該入力が受け付けられた後の状況に応じた第２制御を行うことができ、操作者の利便性を向上させることができる。
【０１３７】
付記２に記載の開閉制御システムによれば、切替手段は、電動閉鎖操作手段によって受け付けられる操作入力に対応する制御を、入力手段によってトリガ信号の入力が受け付けられる前には、電動閉鎖制御とし、入力手段によってトリガ信号の入力が受け付けられた場合には、自重閉鎖制御とするので、トリガ信号の入力が受け付けられた場合に電動閉鎖操作手段によって受け付けられる操作入力に対応する制御を電動閉鎖制御から自重閉鎖制御に切り替えることができるので、例えば、火災時において、シャッターカーテンの状態が後述する半開状態である場合に、操作者が誤って電動閉鎖操作手段を操作した場合には、自重閉鎖制御を行うことができ、シャッターカーテンの状態を確実に後述する全閉状態にすることが可能となる。
【０１３８】
付記３に記載の開閉制御システムによれば、切替手段は、電動開放操作手段によって受け付けられる操作入力に対応する制御を、入力手段によってトリガ信号の入力が受け付けられる前には、電動開放制御とし、入力手段によってトリガ信号の入力が受け付けられた場合には、復旧制御とするので、トリガ信号の入力が受け付けられた場合に電動開放操作手段によって受け付けられる操作入力に対応する制御を電動開放制御から復旧制御に切り替えることができる。よって、例えば、火災が消火された後にシャッターカーテンの状態が後述する全閉状態である場合において、操作者が誤って電動開放操作手段を操作した場合には、復旧制御を行うことができ、シャッターカーテンの状態を確実に後述する全開状態にすることが可能となる。
【０１３９】
付記４に記載の開閉制御システムによれば、切替手段は、電動開放操作手段によって受け付けられる操作入力に対応する制御を、入力手段によってトリガ信号の入力が受け付けられる前には、電動開放制御とし、入力手段によってトリガ信号の入力が受け付けられた後、トリガ信号の入力が受け付けられていない状態で電動開放操作手段の操作入力が受け付けられた場合には、復旧制御とし、入力手段によってトリガ信号の入力が受け付けられた後、トリガ信号の入力が受け付けられている状態で電動開放操作手段の操作入力が受け付けられた場合には、非制御とするので、トリガ信号の入力が受け付けられていない状態で電動開放操作手段の操作入力が受け付けられた場合には、電動開放操作手段によって受け付けられる操作入力に対応する制御を電動開放制御から復旧制御に切り替えることができる。よって、例えば、火災が消火された後にシャッターカーテンの状態が後述する全閉状態である場合において、操作者が誤って電動開放操作手段を操作した場合には、復旧制御を行うことができ、シャッターカーテンの状態を確実に後述する全開状態にすることが可能となる。また、トリガ信号の入力が受け付けられている状態で電動開放操作手段の操作入力が受け付けられた場合には、電動開放操作手段によって受け付けられる操作入力に対応する制御を電動開放制御から非制御に切り替えることができる。よって、例えば、火災が継続している場合に、操作者が誤って電動開放操作手段を操作した場合には、非制御にすることができ、復旧制御を行うことを防止できるため、シャッターカーテンの電動による開放移動によって火災の炎や煙が流入することを防止することが可能となる。
【０１４０】
付記５に記載の開閉制御システムによれば、切替手段は、電動開放操作手段によって受け付けられる操作入力に対応する制御として復旧制御を行う場合には、当該復旧制御と併せて電動開放制御を行うので、操作者が電動開放操作手段を１回操作するだけで復旧制御及び電動開放制御を行うことができ、電動開放操作手段の操作性を向上させることが可能となる。
【０１４１】
付記６に記載の開閉制御システムによれば、切替手段は、電動停止操作手段によって受け付けられる操作入力に対応する制御を、入力手段によってトリガ信号の入力が受け付けられる前には、電動停止制御とし、入力手段によってトリガ信号の入力が受け付けられた場合には、復旧制御とするので、トリガ信号の入力が受け付けられた場合に電動停止操作手段によって受け付けられる操作入力に対応する制御を電動停止制御から復旧制御に切り替えることができるので、例えば、火災時においてシャッターカーテンが自重で閉鎖移動している場合において、操作者が誤って電動停止操作手段を操作した場合には、復旧制御を行うことができ、シャッターカーテンを確実に停止させることが可能となる。
【０１４２】
付記７に記載の開閉制御システムによれば、切替手段は、入力手段によってトリガ信号の入力が受け付けられる前には、電動停止操作手段によって受け付けられる操作入力に対応する制御を電動停止制御とし、入力手段によってトリガ信号の入力が受け付けられた後、トリガ信号の入力が受け付けられている状態で電動停止操作手段の操作入力が受け付けられている場合のみ、電動停止操作手段によって受け付けられる操作入力に対応する制御を電動停止制御から復旧制御に切り替えることができるので、例えば、電動停止操作手段から復旧信号の入力が受け付けられた後において、トリガ信号の入力が継続して受け付けられている状態で電動停止操作手段の操作入力が受け付けられていない場合には、シャッターカーテンを自重で閉鎖移動させることができる。また、トリガ信号の入力の入力が継続して受け付けられている状態で電動停止操作手段の操作入力が受け付けられている場合には、シャッターカーテンの自重による閉鎖移動を停止させることができ、その後電動停止操作手段の操作入力が受け付けられなくなった場合には、シャッターカーテンの自重による閉鎖移動を再開させることができる。以上のように、ユーザが電動停止操作手段を操作している間においてシャッターカーテンの自重による閉鎖移動を停止させることにより、火災時において建物にいる人が避難するための空間を確保することができ、建物にいる人の安全性を確保できる。また、ユーザが電動停止操作手段を操作していない間においてシャッターカーテンを自重で閉鎖移動させることにより、ユーザが操作手段を操作することなくシャッターカーテンの状態を全閉状態にすることができ、煙や炎が流入することを抑制できる。したがって、人の安全性とシャッター装置の防火性とを両立した制御を行うことが可能となる。
【０１４３】
付記８に記載の開閉制御システムによれば、操作手段からの信号に基づいてシャッター装置の状態を制御する制御手段を備え、操作手段と制御手段とを切替手段を介して接続したので、例えば、既存のシャッター装置に対して、当該シャッター装置の制御手段と当該シャッター装置の操作手段とを切替手段を介して接続することで、当該開閉制御システムを構築でき、当該開閉制御システムの製造コストを低減することが可能となる。
【符号の説明】
【０１４４】
１、１０１  シャッター装置
２  開口部
３  天井
４  配線
４ａ  電動開放配線
４ｂ  電動閉鎖配線
４ｃ  電動停止配線
４ｄ  第１自重閉鎖配線
４ｅ  第１復旧配線
４ｆ  共通配線
４ｇ  第２復旧配線
４ｈ  第２自重閉鎖配線
１０  シャッター収納部
２０  ガイドレール
３０  シャッターカーテン
３１  スラット
３２  座板
４０  開閉機
５０  火災報知システム
５１  火災感知器
５２  防災盤
６０  開閉制御システム
７０  自動閉鎖装置
８０  手動閉鎖装置
８１  電動開放ボタン
８２  電動閉鎖ボタン
８３  電動停止ボタン
８４  非常作動ボタン
８５  復旧ボタン
９０  上限検知部
１００  下限検知部
１１０  座板スイッチ
１２０  コードリール
１３０  切替部
１３１  電動開放ボタン側リレー
１３１ａ  電動開放スイッチ
１３１ｂ  復旧スイッチ
１３２  電動開放ボタン側リレー
１３２ａ  電動閉鎖スイッチ
１３２ｂ  自重閉鎖スイッチ
１４０  連動中継器
１４１  入力部
１４２  出力部
１４３  電源部
１４４  制御部
１４５  記憶部
１５０  防煙可能位置検知部
Ｈｓ  防煙可能位置
Ｈ１  開閉範囲
Ｈ２  第１閉鎖範囲
Ｈ３  第２閉鎖範囲
【図１】
0006698332.tif 000002
【図２】
0006698332.tif 000003
【図３】
0006698332.tif 000004
【図４】
0006698332.tif 000005
【図５】
0006698332.tif 000006
【図６】
0006698332.tif 000007
【図７】
0006698332.tif 000008
【図８】
0006698332.tif 000009
【図９】
0006698332.tif 000010